(57)【要約】【課題】複数の負荷を個別に制御可能な負荷制御システムを提供する。【解決手段】複数の開閉回路１０の各々は、複数の第２端子Ｔ２のうち対応する一の第２端子Ｔ２と第１端子Ｔ１との間に電気的に接続されるスイッチ１１を有する。制御回路２０は、複数の開閉回路１０の各々が有するスイッチ１１を制御することで、複数の開閉回路１０の各々に対応する負荷３への電力供給を制御する。電源回路３０は、複数の第２端子Ｔ２と第１端子Ｔ１との間に電気的に接続されており、複数の第２端子Ｔ２のうち少なくとも１つの第２端子Ｔ２と第１端子Ｔ１とを介して電源２から電力を得て、少なくとも制御回路２０に供給する電力を生成する。【選択図】図１
2020017498.tif 000002
【特許請求の範囲】
【請求項１】
第１端子と、複数の第２端子と、複数の開閉回路と、制御回路と、電源回路と、を備え、
前記第１端子は電源に電気的に接続され、
前記複数の第２端子は複数の負荷に一対一に対応し、
前記複数の第２端子の各々は、複数の負荷のうち対応する一の負荷を介して前記電源に電気的に接続され、
前記複数の開閉回路は前記複数の第２端子に一対一に対応し、
前記複数の開閉回路の各々は、前記複数の第２端子のうち対応する一の第２端子と前記第１端子との間に電気的に接続されるスイッチを有し、
前記制御回路は、前記複数の開閉回路の各々が有する前記スイッチを制御することで、前記複数の開閉回路の各々に対応する前記負荷への電力供給を制御し、
前記電源回路は、前記複数の第２端子と前記第１端子との間に電気的に接続されており、前記複数の第２端子のうち少なくとも１つの第２端子と前記第１端子とを介して前記電源から電力を得て、少なくとも前記制御回路に供給する電力を生成する、
負荷制御システム。
【請求項２】
前記制御回路と前記電源回路との少なくとも一方が１つの共用回路を含み、
前記共用回路は、前記複数の開閉回路に共用される、
請求項１に記載の負荷制御システム。
【請求項３】
前記制御回路は、主制御回路と、複数の副制御回路とを含み、
前記複数の副制御回路は前記複数の開閉回路に一対一に対応し、
前記主制御回路は、前記複数の副制御回路を制御し、
前記複数の副制御回路は、前記複数の開閉回路のうち対応する一の開閉回路の前記スイッチを制御し、
前記電源回路は、主電源回路と、複数の副電源回路とを含み、
前記複数の副電源回路は前記複数の副制御回路に一対一に対応し、
前記主電源回路は、前記主制御回路に電力を供給し、
前記複数の副電源回路の各々は、前記複数の副制御回路のうち対応する一の副制御回路に電力を供給する、
請求項２に記載の負荷制御システム。
【請求項４】
前記制御回路は、主制御回路と、複数の副制御回路とを含み、
前記複数の副制御回路は前記複数の開閉回路に一対一に対応し、
前記主制御回路は、前記複数の副制御回路を制御し、
前記複数の副制御回路の各々は、前記複数の開閉回路のうち対応する一の開閉回路の前記スイッチを制御する、
請求項２に記載の負荷制御システム。
【請求項５】
前記制御回路と前記電源回路との少なくとも一方と、前記複数の開閉回路の少なくとも一部との間を電気的に絶縁する絶縁回路を更に備える、
請求項１〜４のいずれか１項に記載の負荷制御システム。
【請求項６】
前記複数の開閉回路と、前記制御回路及び前記電源回路との間が電気的に絶縁されていない、
請求項１〜４のいずれか１項に記載の負荷制御システム。
【請求項７】
前記複数の第２端子のうち一の第２端子と前記電源回路との間に電気的に接続された開閉器を、更に備え、
前記制御回路は、前記複数の第２端子のうち前記開閉器が接続された第２端子が無負荷状態である場合に前記開閉器をオフにする、
請求項１〜６のいずれか１項に記載の負荷制御システム。
【請求項８】
前記電源回路は、前記複数の第２端子のうちの任意の第２端子と前記第１端子とを介して前記電源から電力を得る、
請求項１〜７のいずれか１項に記載の負荷制御システム。
【請求項９】
前記電源回路は、前記複数の第２端子のうち一部の第２端子が無負荷状態である場合、前記複数の第２端子のうち前記一部の第２端子以外の第２端子と前記第１端子とを介して前記電源から電力を得る、
請求項１〜８のいずれか１項に記載の負荷制御システム。
【請求項１０】
第１回路ブロックと、複数の第２回路ブロックとを更に備え、
前記複数の第２回路ブロックの各々は、前記第１回路ブロックが有する第１接続部に電気的に接続される第２接続部を有し、前記第２接続部を介して前記第１回路ブロックに電気的に接続され、
前記第１回路ブロックは、前記制御回路の少なくとも一部と前記電源回路の少なくとも一部とを含む回路を収容する第１の筐体を有し、
前記複数の第２回路ブロックは前記複数の開閉回路に一対一に対応し、
前記複数の第２回路ブロックの各々は、前記複数の開閉回路のうち対応する一の開閉回路を収容する第２の筐体を有する、
請求項１〜９のいずれか１項に記載の負荷制御システム。
【請求項１１】
前記複数の開閉回路に一対一に対応する複数の操作部を、更に備え、
前記制御回路は、前記複数の操作部のうち一の操作部からの操作入力に基づいて、前記複数の開閉回路のうち前記一の操作部に対応する開閉回路が有するスイッチのオン／オフを制御する、
請求項１〜１０のいずれか１項に記載の負荷制御システム。
【発明の詳細な説明】
【技術分野】
【０００１】
本開示は、負荷制御システムに関する。より詳細には、本開示は、負荷を制御する負荷制御システムに関する。
【背景技術】
【０００２】
従来、照明負荷を調光する調光装置が知られている（例えば、特許文献１）。
【０００３】
特許文献１に記載された調光装置は、一対の端子と、制御回路部と、制御回路部に制御電源を供給する制御電源部とを備えている。
【０００４】
一対の端子間には、制御回路部と制御電源部とが並列に接続されている。また、一対の端子間には、交流電源と照明負荷との直列回路が接続される。照明負荷は、複数のＬＥＤ（Light Emitting Diode）素子と、各ＬＥＤ素子を点灯させる電源回路とを備えている。電源回路は、ダイオードと電解コンデンサとの平滑回路を備えている。
【０００５】
制御回路部は、照明負荷に供給する交流電圧を位相制御するスイッチ部と、スイッチ部を駆動するスイッチドライブ部と、スイッチドライブ部及び制御電源部を制御する制御部と、を備えている。
【０００６】
制御電源部は、スイッチ部に並列に接続されている。制御電源部は、交流電源の交流電圧を制御電源に変換する。制御電源部は、制御電源を蓄積する電解コンデンサを備えている。
【０００７】
制御部は、制御電源部（電源部）から電解コンデンサを通じて制御電源が供給される。制御部は、調光操作部で設定された調光レベルに応じて、交流電圧の半サイクルごとの期間途中で、照明負荷への給電を遮断する逆位相制御を行う。
【先行技術文献】
【特許文献】
【０００８】
【特許文献１】特開２０１３−１４９４９５号公報
【発明の概要】
【発明が解決しようとする課題】
【０００９】
特許文献１に開示された調光装置（負荷制御システム）は、２つの電線で交流電源と照明負荷とが接続されるので、交流電源と照明負荷とがそれぞれ２つの電線で接続される場合に比べて、電線の数を削減可能であるが、複数の負荷を個別に制御することはできなかった。
【００１０】
本開示の目的は、複数の負荷を個別に制御可能な負荷制御システムを提供することにある。
【課題を解決するための手段】
【００１１】
本開示の一態様の負荷制御システムは、第１端子と、複数の第２端子と、複数の開閉回路と、制御回路と、電源回路と、を備える。前記第１端子は電源に電気的に接続される。前記複数の第２端子は複数の負荷に一対一に対応する。前記複数の第２端子の各々は、複数の負荷のうち対応する一の負荷を介して前記電源に電気的に接続される。前記複数の開閉回路は前記複数の第２端子に一対一に対応する。前記複数の開閉回路の各々は、前記複数の第２端子のうち対応する一の第２端子と前記第１端子との間に電気的に接続されるスイッチを有する。前記制御回路は、前記複数の開閉回路の各々が有する前記スイッチを制御することで、前記複数の開閉回路の各々に対応する前記負荷への電力供給を制御する。前記電源回路は、前記複数の第２端子と前記第１端子との間に電気的に接続されており、前記複数の第２端子のうち少なくとも１つの第２端子と前記第１端子とを介して前記電源から電力を得て、少なくとも前記制御回路に供給する電力を生成する。
【発明の効果】
【００１２】
本開示によれば、複数の負荷を個別に制御可能な負荷制御システムを提供することができる。
【図面の簡単な説明】
【００１３】
【図１】図１は、本開示の一実施形態に係る負荷制御システムの概略的な回路図である。
【図２】図２は、同上の負荷制御システムの正面図である。
【図３】図３は、同上の負荷制御システムの１灯点灯時の動作を説明する説明図である。
【図４】図４は、同上の負荷制御システムの各部の波形図である。
【図５】図５は、同上の負荷制御システムの２灯点灯時の動作を説明する説明図である。
【図６】図６は、同上の負荷制御システムにおいて、１灯が無負荷状態の場合に他の１灯を点灯させる場合の動作を説明する説明図である。
【図７】図７は、本開示の一実施形態の変形例１に係る負荷制御システムの概略的な回路図である。
【図８】図８は、本開示の一実施形態の変形例２に係る負荷制御システムの概略的な回路図である。
【図９】図９は、本開示の一実施形態の変形例３に係る負荷制御システムの概略的な回路図である。
【図１０】図１０は、変形例３に係る負荷制御システムの動作を説明する説明図である。
【図１１】図１１は、本開示の一実施形態の変形例４に係る負荷制御システムの概略的な回路図である。
【図１２】図１２は、本開示の一実施形態の変形例５に係る負荷制御システムの概略的な回路図である。
【図１３】図１３は、本開示の一実施形態の変形例６に係る負荷制御システムの概略的な回路図である。
【図１４】図１４は、本開示の一実施形態の変形例７に係る負荷制御システムの概略的な回路図である。
【図１５】図１５は、本開示の一実施形態の変形例８に係る負荷制御システムの概略的な回路図である。
【発明を実施するための形態】
【００１４】
（実施形態）
（１）概要
本実施形態に係る負荷制御システム１は、図１に示すように、第１端子Ｔ１と、複数（例えば２つ）の第２端子Ｔ２（Ｔ２１，Ｔ２２）と、複数（例えば２つ）の開閉回路１０（１０１，１０２）と、制御回路２０と、電源回路３０と、を備える。
【００１５】
第１端子Ｔ１は電源（交流電源２）に電気的に接続される。
【００１６】
複数の第２端子Ｔ２（Ｔ２１，Ｔ２２）は複数（例えば２つ）の負荷３（３Ａ，３Ｂ）に一対一に対応する。複数の第２端子Ｔ２（Ｔ２１，Ｔ２２）の各々は、複数の負荷３（３Ａ，３Ｂ）のうち対応する一の負荷３を介して電源（交流電源２）に電気的に接続される。
【００１７】
複数の開閉回路１０（１０１，１０２）は、複数の第２端子Ｔ２（Ｔ２１，Ｔ２２）に一対一に対応する。複数の開閉回路１０（１０１，１０２）の各々は、複数の第２端子Ｔ２（Ｔ２１，Ｔ２２）のうち対応する一の第２端子Ｔ２と第１端子Ｔ１との間に電気的に接続されるスイッチ１１を有している。
【００１８】
制御回路２０は、複数の開閉回路１０（１０１，１０２）の各々が有するスイッチ１１を制御することで、複数の開閉回路１０（１０１，１０２）の各々に対応する負荷３（３Ａ，３Ｂ）への電力供給を制御する。
【００１９】
電源回路３０は、複数の第２端子Ｔ２（Ｔ２１，Ｔ２２）と第１端子Ｔ１との間に電気的に接続されている。電源回路３０は、複数の第２端子Ｔ２（Ｔ２１，Ｔ２２）のうち少なくとも１つの第２端子Ｔ２と第１端子Ｔ１とを介して電源（交流電源２）から電力を得て、少なくとも制御回路２０に供給する電力を生成する。
【００２０】
ここにおいて、「第１端子」及び「第２端子」は、電線等を接続するための部品（端子）でなくてもよく、例えば電子部品のリードや、回路基板に含まれる導体の一部であってもよい。
【００２１】
本実施形態に係る負荷制御システム１は、複数の負荷３（３Ａ，３Ｂ）の各々について見れば２線式の負荷制御装置である。複数の開閉回路１０（１０１，１０２）は複数の負荷３（３Ａ，３Ｂ）に一対一に対応している。複数の開閉回路１０（１０１，１０２）の各々は、電源（交流電源２）に対して、複数の負荷３（３Ａ，３Ｂ）のうち対応する一の負荷３と電気的に直列に接続されるように、電源（交流電源２）と負荷３との間に電気的に接続される。
【００２２】
言い換えれば、開閉回路１０１に負荷３Ａを電気的に接続するために、負荷制御システム１の第１端子Ｔ１には、電源（交流電源２）につながる電線ａ１が電気的に接続され、第２端子Ｔ２１には、負荷３Ａにつながる電線ａ２１が電気的に接続される。そして、２本の電線ａ１，ａ２１の間に、開閉回路１０１が有するスイッチ１１が電気的に接続される。そのため、制御回路２０が開閉回路１０１のスイッチ１１を導通状態にすれば、電源（交流電源２）からの交流電圧Ｖａｃが負荷３Ａに印加されて負荷３Ａに電力が供給される。制御回路２０が開閉回路１０１のスイッチ１１を非導通状態にすれば、電源（交流電源２）からの交流電圧Ｖａｃが第１端子Ｔ１と第２端子Ｔ２１との間に印加されて、負荷３Ａへの電力供給が停止する。
【００２３】
また、開閉回路１０２に負荷３Ｂを電気的に接続するために、負荷制御システム１の第１端子Ｔ１には、電源（交流電源２）につながる電線ａ１が電気的に接続され、第２端子Ｔ２２には、負荷３Ｂにつながる電線ａ２２が電気的に接続される。そして、２本の電線ａ１，ａ２２の間に、開閉回路１０２が有するスイッチ１１が電気的に接続される。そのため、制御回路２０が開閉回路１０２のスイッチ１１を導通状態にすれば、交流電源２からの交流電圧Ｖａｃが負荷３Ｂに印加されて負荷３Ｂに電力が供給される。制御回路２０が開閉回路１０２のスイッチ１１を非導通状態にすれば、交流電源２からの交流電圧Ｖａｃが第１端子Ｔ１と第２端子Ｔ２２との間に印加されて、負荷３Ｂへの電力供給が停止する。
【００２４】
ここで、複数の第２端子Ｔ２の各々と第１端子Ｔ１との間には負荷３と交流電源２とが直列に接続されているので、交流電源２と複数の負荷３とをそれぞれ２本の電線で接続する場合に比べて、複数の負荷３を接続するための電線の数を削減できる。
【００２５】
さらに、制御回路２０は、各開閉回路１０のスイッチ１１を制御することで、各開閉回路１０に対応する負荷３への電力供給を制御しているので、複数の負荷３への電力供給を個別に制御することができる。
【００２６】
また、電源回路３０は、複数の第２端子Ｔ２と第１端子Ｔ１との間に電気的に接続されているので、複数の第２端子Ｔ２のうち任意の第２端子Ｔ２と第１端子Ｔ１とを介して電源（交流電源２）から電力を得ることができる。したがって、複数の第２端子Ｔ２のうちの一部が無負荷状態になった場合でも、電源回路３０は、複数の第２端子Ｔ２のうち無負荷状態となった第２端子Ｔ２以外の第２端子Ｔ２と第１端子Ｔ１とを介して電源（交流電源２）から電力を得ることができる。よって、電源回路３０は、複数の第２端子Ｔ２のうちの一部が無負荷状態になった場合でも、制御回路２０を動作させるのに必要な電圧を供給でき、複数の負荷３を個別に制御可能な２線式の負荷制御システム１を提供できる。
【００２７】
本実施形態では一例として、負荷３が、複数のＬＥＤ素子と、複数のＬＥＤ素子を点灯させる点灯回路と、を備える照明負荷である場合について説明する。すなわち、負荷制御システム１は、例えば、スイッチ１１により照明負荷からなる負荷３に供給する電圧を位相制御することで、負荷３の光出力の大きさを調節する調光装置を構成する。ここで、負荷３の点灯回路は、負荷制御システム１で位相制御された交流電圧Ｖａｃの波形から調光レベルを読み取り、ＬＥＤ素子の光出力の大きさを変化させる。負荷３の点灯回路は、一例としてブリーダ回路等の電流確保用の回路を有している。そのため、負荷制御システム１のスイッチ１１が非導通状態となる期間においても、負荷３に電流を流すことが可能である。交流電源２は、例えば、単相１００〔Ｖ〕、６０〔Ｈｚ〕の商用電源である。また、負荷制御システム１は例えば壁スイッチ等に適用可能である。
【００２８】
（２）詳細
本実施形態に係る負荷制御システム１について、図１〜図６を参照して詳細に説明する。
【００２９】
負荷制御システム１は、図１に示すように、上述の第１端子Ｔ１と、複数（例えば２つ）の第２端子Ｔ２（Ｔ２１，Ｔ２２）と、複数（例えば２つ）の開閉回路１０（１０１，１０２）と、制御回路２０と、電源回路３０と、を備える。また、負荷制御システム１は、整流回路ＤＢ１，ＤＢ２と、インタフェース部４０と、ゼロクロス検出部（ＺＣ）２３１，２３２，２４１，２４２と、絶縁回路２５１〜２５４と、を更に備えている。また、本実施形態では、制御回路２０が、共用回路である主制御回路２１と、副制御回路２２とを含み、電源回路３０が、共用回路である主電源回路３１と、複数の副電源回路３２１，３２２とを含む。つまり、本実施形態では、制御回路２０及び電源回路３０がそれぞれ共用回路を含んでいる。共用回路は、複数の開閉回路１０に共用される回路である。本実施形態では、複数の開閉回路１０が共用回路を共用するので、負荷制御システム１全体として回路規模を削減できる。なお、制御回路２０及び電源回路３０が共用回路を含むことは必須ではなく、制御回路２０及び電源回路３０の一方のみが共用回路を含んでもよいし、制御回路２０及び電源回路３０が両方共に共用回路を含んでいなくてもよい。
【００３０】
上述のように、複数の開閉回路１０（１０１，１０２）の各々は、複数の第２端子Ｔ２（Ｔ２１，Ｔ２２）のうち対応する一の第２端子Ｔ２と第１端子Ｔ１との間に電気的に接続されるスイッチ１１を有している。
【００３１】
スイッチ１１は、例えば、第１端子Ｔ１と第２端子Ｔ２（Ｔ２１，Ｔ２２）との間に電気的に直列に接続された２個のスイッチ素子Ｑ１，Ｑ２からなる。例えば、スイッチ素子Ｑ１，Ｑ２の各々はＭＯＳＦＥＴ（Metal-Oxide-Semiconductor Field Effect Transistor）からなる半導体スイッチ素子である。
【００３２】
スイッチ素子Ｑ１，Ｑ２は、第１端子Ｔ１と第２端子Ｔ２（Ｔ２１，Ｔ２２）との間において、いわゆる逆直列に接続されている。つまり、スイッチ素子Ｑ１，Ｑ２はソース同士が互いに接続されている。スイッチ素子Ｑ１のドレインは第１端子Ｔ１に接続され、スイッチ素子Ｑ２のドレインは第２端子Ｔ２に接続されている。ここで、開閉回路１０１が有するスイッチ素子Ｑ１，Ｑ２のソースは、開閉回路１０１に対応して設けられた副電源回路３２１のグランドに電気的に接続されており、副電源回路３２１から開閉回路１０１にゲート駆動用の電圧が供給される。また、開閉回路１０２が有するスイッチ素子Ｑ１，Ｑ２のソースは、開閉回路１０２に対応して設けられた副電源回路３２２のグランドに電気的に接続されており、副電源回路３２１から開閉回路１０１にゲート駆動用の電圧が供給される。
【００３３】
各開閉回路１０のスイッチ１１は、スイッチ素子Ｑ１，Ｑ２のオン、オフの組み合わせにより、４つの状態を切替可能である。スイッチ素子Ｑ１，Ｑ２は、それぞれ、制御回路２０によってオン又はオフに制御される。ここで、４つの状態には、両スイッチ素子Ｑ１，Ｑ２が共にオフである「双方向オフ状態」と、両スイッチ素子Ｑ１，Ｑ２が共にオンである「双方向オン状態」と、スイッチ素子Ｑ１，Ｑ２の一方のみがオンである２種類の「一方向オン状態」とがある。一方向オン状態では、スイッチ素子Ｑ１，Ｑ２のうち、オンの方のスイッチ素子から、オフの方のスイッチ素子の寄生ダイオードを通して第１端子Ｔ１と第２端子Ｔ２との間が一方向に導通することになる。例えば、スイッチ素子Ｑ１がオン、スイッチ素子Ｑ２がオフの状態では、第１端子Ｔ１から第２端子Ｔ２に向けて電流を流す「第１の一方向オン状態」となる。また、スイッチ素子Ｑ２がオン、スイッチ素子Ｑ１がオフの状態では、第２端子Ｔ２から第１端子Ｔ１に向けて電流を流す「第２の一方向オン状態」となる。そのため、第１端子Ｔ１と第２端子Ｔ２との間に交流電源２から交流電圧Ｖａｃが印加される場合、交流電圧Ｖａｃの正極性、つまり第１端子Ｔ１が正極の半周期においては、第１の一方向オン状態が「順方向オン状態」、第２の一方向オン状態が「逆方向オン状態」となる。一方、交流電圧Ｖａｃの負極性、つまり第２端子Ｔ２が正極の半周期においては、第２の一方向オン状態が「順方向オン状態」、第１の一方向オン状態が「逆方向オン状態」となる。
【００３４】
ここで、スイッチ１１は、「双方向オン状態」及び「順方向オン状態」の両状態がスイッチ１１を介して負荷３（３Ａ，３Ｂ）に電流が流れる「導通状態」である。スイッチ１１は、「双方向オフ状態」及び「逆方向オン状態」の両状態がスイッチ１１を介して負荷３（３Ａ，３Ｂ）に電流が流れない「非導通状態」である。本実施形態では、制御回路２０が、交流電圧Ｖａｃの正極性の半周期又は負極性の半周期において、スイッチ素子Ｑ１，Ｑ２をそれぞれオン又はオフに制御することで、スイッチ１１を「導通状態」又は「非導通状態」に制御することができる。
【００３５】
ゼロクロス検出部２３１，２３２は、第１端子Ｔ１と第２端子Ｔ２１との間に印加される交流電圧Ｖａｃのゼロクロス点を検出する。
【００３６】
ゼロクロス検出部２３１は、第１端子Ｔ１の電圧と所定の閾値との高低を比較する。ゼロクロス検出部２３１は、第１端子Ｔ１を正極とする電圧が閾値未満の状態から閾値以上の状態に移行したことを検出すると、交流電圧Ｖａｃが負極性の半周期から正極性の半周期に移行する際のゼロクロス点であると判断し、検出信号を出力する。ゼロクロス検出部２３１から出力された検出信号は、ゼロクロス検出部２３１と副制御回路２２との間を電気的に絶縁する絶縁回路２５３を介して、副制御回路２２に入力される。なお、ゼロクロス検出部２３１と絶縁回路２５３との間には、ゼロクロス検出部２３１の検出信号を短パルス化した信号を出力する回路が電気的に接続されていてもよい。なお、絶縁回路２５３は、例えばフォトカプラのような光伝達素子によって入力と出力との間を電気的に絶縁しているが、トランスのような電磁的な伝達素子を用いることで、入力と出力との間を電気的に絶縁してもよい。
【００３７】
また、ゼロクロス検出部２３２は、第２端子Ｔ２１を正極とする電圧が閾値未満の状態から閾値以上の状態に移行したことを検出すると、交流電圧Ｖａｃが正極性の半周期から負極性の半周期に移行する際のゼロクロス点であると判断する。ゼロクロス検出部２３２は、交流電圧Ｖａｃが正極性の半周期から負極性の半周期に移行する際のゼロクロス点を検出すると、検出信号を副制御回路２２に出力する。ここで、閾値は０〔Ｖ〕付近に設定された値（絶対値）である。例えば、ゼロクロス検出部２３１，２３２の閾値は、それぞれ数〔Ｖ〕程度である。したがって、ゼロクロス検出部２３１，２３２で検出されるゼロクロス点の検出点は、厳密な意味でのゼロクロス点（０〔Ｖ〕）から少し時間が遅れる。
【００３８】
同様に、ゼロクロス検出部２４１，２４２は、第１端子Ｔ１と第２端子Ｔ２２との間に印加される交流電圧Ｖａｃのゼロクロス点を検出する。ゼロクロス検出部２４１，２４２は、ゼロクロス点を検出すると、検出信号を出力する。ゼロクロス検出部２４１，２４２のグランドと主電源回路３１のグランドは共通であるので、ゼロクロス検出部２４１，２４２の検出信号は副制御回路２２に直接入力される。なお、ゼロクロス検出部２４１，２４２と副制御回路２２との間には、ゼロクロス検出部２４１，２４２の検出信号を短パルス化した信号を出力する回路が電気的に接続されていてもよい。
【００３９】
インタフェース部（操作部）４０には、負荷３Ａ，３Ｂのそれぞれについて明るさを規定する入力レベルが入力される。入力レベルは、交流電圧Ｖａｃの半周期においてスイッチ１１が導通状態になるタイミング又は非導通状態になるタイミングを規定する。なお、インタフェース部４０には、負荷３Ａ，３Ｂのそれぞれについて異なる入力レベルが入力されてもよいし、同じ入力レベルが入力されてもよい。本実施形態では、負荷制御システム１は調光装置であるから、インタフェース部４０は、ユーザによる操作を受け付け、入力レベルとしての調光レベルの入力を受け付ける。インタフェース部４０は、主制御回路２１に対し調光レベルを表す調光信号を出力する。調光信号とは、負荷３の光出力の大きさを指定する数値等であって、負荷３を消灯状態とする「ＯＦＦレベル」を含む場合もある。本実施形態では一例として、インタフェース部４０は、ユーザのタッチ操作を受け付けるタッチパネル４１（図２参照）を有している。タッチパネル４１は、負荷制御システム１の器体９０の表面に保持されており、壁などの造営材１００に負荷制御システム１の器体９０が取り付けられた状態でユーザのタッチ操作を受け付け可能に構成されている。なお、インタフェース部４０は、入力レベル（調光レベル）を表す信号を出力する構成であればよく、例えば、器体の表面に配置された可変抵抗器、ロータリスイッチ、又は操作ボタン等であってもよい。また、インタフェース部４０は、複数の開閉回路１０に一対一に対応した複数の操作部を備えていてもよい。制御回路２０は、複数の操作部のうち一の操作部からの操作入力に基づいて、複数の開閉回路１０のうち一の操作部に対応する開閉回路１０が有するスイッチ１１のオン／オフを制御する。本実施形態ではインタフェース部４０がタッチパネル４１で実現されており、例えばタッチパネル４１で所定の操作（右スライド、左スライド等の操作）を行うことで、操作対象の負荷３を切り替えた後、タッチパネル４１で所定の操作（例えば上スライド、下スライドなど）を行うことで操作対象の負荷３の調光レベルを操作する。つまり、１つのタッチパネル４１で、複数の開閉回路１０に一対一に対応した複数の操作部が実現されているが、複数の操作部は、複数の開閉回路１０にそれぞれ対応して設けられた複数の操作ボタン等で実現されてもよい。また、一の開閉回路１０に対応した一の操作部は、一の開閉回路１０に関する複数の操作（例えば、点灯／消灯の切替操作、調光レベルを上げる操作、調光レベルを下げる操作等）を行うための一組の操作要素（例えば操作ボタン等）を含んでいてもよい。
【００４０】
また、インタフェース部４０は、入力された負荷３の明るさ（調光レベル）を表示する表示部（インジケータ）を更に備えてもよい。インタフェース部４０は、例えば、複数個のＬＥＤ素子からなる表示部を含み、ＬＥＤ素子の点灯数によって入力レベルを表示する。
【００４１】
次に、制御回路２０について説明する。本実施形態では、制御回路２０は、主制御回路２１と、副制御回路２２と、を含む。
【００４２】
例えば、主制御回路２１及び副制御回路２２は、それぞれ、１以上のプロセッサ及び１以上のメモリを有するマイクロコントローラを主構成とする。マイクロコントローラのメモリに記録されたプログラムを、マイクロコントローラのプロセッサが実行することにより、主制御回路２１及び副制御回路２２の各機能が実現される。プログラムは、メモリに記録されていてもよいし、インターネット等の電気通信回線を通して提供されてもよく、メモリカード等の非一時的な記録媒体に記録されて提供されてもよい。なお、本実施形態では、主制御回路２１及び副制御回路２２は別々のマイクロコントローラで実現されているが、主制御回路２１及び副制御回路２２は１つのマイクロコントローラで実現されてもよい。
【００４３】
主制御回路２１は、制御親機５との間で無線通信方式で通信する通信機能を有している。ここで、主制御回路２１が有する通信機能は、例えば、特定小電力無線の通信規格に準拠した通信機能であるが、Ｂｌｕｅｔｏｏｔｈ（登録商標）、Ｗｉ−Ｆｉ（登録商標）等の通信方式に準拠した通信モジュールでもよい。
【００４４】
主制御回路２１は、制御親機５から受信した制御信号に基づいて、副制御回路２２に、制御対象の負荷３（３Ａ，３Ｂ）の調光レベルを示す制御信号を出力する。また、主制御回路２１は、インタフェース部４０からの操作入力を受け付ける機能を有している。主制御回路２１は、操作部４０から受け付けた操作入力に基づいて、副制御回路２２に、制御対象の負荷３（３Ａ，３Ｂ）の調光レベルを示す制御信号を出力する。
【００４５】
副制御回路２２は、主制御回路２１から入力される負荷３Ａの制御信号と、ゼロクロス検出部２３１，２３２から入力される検出信号とに基づいて、開閉回路１０１に制御信号Ｓ１を出力し、開閉回路１０１が有するスイッチ１１のオン／オフを制御する。本実施形態では、開閉回路１０１のグランドと、副制御回路２２のグランドとが共通ではないので、副制御回路２２から出力される制御信号Ｓ１は絶縁回路２５１を介して開閉回路１０１に入力される。副制御回路２２は、開閉回路１０１が有するスイッチ１１のスイッチ素子Ｑ１，Ｑ２を個別に制御することでスイッチ１１のオン／オフを制御し、交流電源２から負荷３Ａに供給される交流電圧Ｖａｃを、開閉回路１０１のスイッチ１１にて位相制御する。
【００４６】
また、副制御回路２２は、主制御回路２１から入力される負荷３Ｂの制御信号と、ゼロクロス検出部２４１，２４２から入力される検出信号とに基づいて、開閉回路１０２に制御信号Ｓ２を出力し、開閉回路１０２が有するスイッチ１１のオン／オフを制御する。本実施形態では、開閉回路１０２のグランドと、副制御回路２２のグランドとが共通ではないので、副制御回路２２から出力される制御信号Ｓ２は絶縁回路２５２を介して開閉回路１０２に入力される。副制御回路２２は、開閉回路１０２が有するスイッチ１１のスイッチ素子Ｑ１，Ｑ２を個別に制御することでスイッチ１１のオン／オフを制御し、交流電源２から負荷３Ｂに供給される交流電圧Ｖａｃを、開閉回路１０２のスイッチ１１にて位相制御する。
【００４７】
ここでいう「位相制御」は、交流電圧Ｖａｃの半周期ごとに、負荷３への通電を開始する位相角（導通角）と、負荷３への通電を終了する位相角とをそれぞれ変化させることによって、負荷３に供給（印加）される交流電圧Ｖａｃを制御する方式を意味する。本実施形態では、副制御回路２２は、交流電圧Ｖａｃの半周期ごとの期間途中で、負荷３Ａ，３Ｂへの給電を遮断する「逆位相制御」を行っている。
【００４８】
本実施形態では、開閉回路１０と制御回路２０との間を電気的に絶縁する絶縁回路２５１，２５２を備えている。絶縁回路２５１，２５２が、開閉回路１０と制御回路２０との間を電気的に絶縁することで、グランドレベルが異なる開閉回路１０と制御回路２０との間で制御信号を伝達することができる。なお、制御回路２０は電源回路３０から電力を得ているので、絶縁回路２５１，２５２は、開閉回路１０と制御回路２０との間を電気的に絶縁することによって、開閉回路１０と電源回路３０との間を電気的に絶縁していることになる。本実施形態では、絶縁回路２５１，２５２が、全ての開閉回路１０と制御回路２０との間を電気的に絶縁しているが、絶縁回路は、複数の開閉回路１０の一部と制御回路２０との間を電気的に絶縁してもよい。また、絶縁回路は、制御回路２０と電源回路３０との少なくとも一方と、複数の開閉回路１０の少なくとも一部との間を電気的に絶縁してもよい。
【００４９】
次に、電源回路３０について説明する。電源回路３０は、主電源回路３１と、複数（例えば２つ）の副電源回路３２１，３２２とを含む。本実施形態では、主電源回路３１の前段に整流回路ＤＢ１，ＤＢ２が設けられている。
【００５０】
整流回路ＤＢ１は、ダイオードＤ１〜Ｄ４のダイオードブリッジ回路で構成される。ダイオードＤ１，Ｄ２の一端は第１端子Ｔ１に電気的に接続され、ダイオードＤ３，Ｄ４の一端は第２端子Ｔ２１に電気的に接続されている。整流回路ＤＢ１は、第１端子Ｔ１と第２端子Ｔ２１とを介して入力される交流電圧Ｖａｃを全波整流する。整流回路ＤＢ１によって全波整流された直流電圧（脈流電圧）は主電源回路３１に入力される。
【００５１】
整流回路ＤＢ２は、ダイオードＤ１，Ｄ２とダイオードＤ５，Ｄ６とのダイオードブリッジ回路で構成される。ダイオードＤ１，Ｄ２の一端は第１端子Ｔ１に電気的に接続され、ダイオードＤ５，Ｄ６の一端は第２端子Ｔ２２に電気的に接続されている。整流回路ＤＢ２は、第１端子Ｔ１と第２端子Ｔ２２とを介して入力される交流電圧Ｖａｃを全波整流する。整流回路ＤＢ２によって全波整流された直流電圧（脈流電圧）は主電源回路３１に入力される。
【００５２】
主電源回路３１は、整流回路ＤＢ１を介して、第１端子Ｔ１と第２端子Ｔ２１との間に電気的に接続されている。第１端子Ｔ１と第２端子Ｔ２１との間に印加された交流電圧Ｖａｃが整流回路ＤＢ１によって全波整流され、整流後の電圧が主電源回路３１に入力される。また、主電源回路３１は、整流回路ＤＢ２を介して、第１端子Ｔ１と第２端子Ｔ２２との間に電気的に接続されている。第１端子Ｔ１と第２端子Ｔ２２との間に印加された交流電圧Ｖａｃが整流回路ＤＢ２によって全波整流され、整流後の電圧が主電源回路３１に入力される。
【００５３】
これにより、主電源回路３１は、整流回路ＤＢ１及びＤＢ２の少なくとも一方から入力される直流電圧を、所定の電圧値の直流電圧に変換して、主制御回路２１及び副制御回路２２等に供給する。つまり、電源回路３０は、複数の第２端子Ｔ２（Ｔ２１，Ｔ２２）のうちの任意の第２端子Ｔ２と第１端子Ｔ１とを介して交流電源２から電力を得ており、電源回路３０は、いずれかの第２端子Ｔ２から電力を得ることができ、負荷制御システム１は動作を継続できる。なお、図１の回路例では、主電源回路３１と副制御回路２０との間には逆流防止用のダイオードが接続されているが、主電源回路３１と副制御回路２０との間には逆流防止用のダイオードがなくてもよい。
【００５４】
ここで、主電源回路３１は、負荷３のオン期間において制御回路２０等に供給する電圧を生成する第１主電源回路と、負荷３のオフ期間において制御回路２０等に供給する電圧を生成する第２主電源回路と、を含む。
【００５５】
第１主電源回路は、負荷３のオン期間に電圧を生成するのであるが、開閉回路１０が導通状態となると、第１端子Ｔ１と第２端子Ｔ２との間の電圧は略ゼロになる。本実施形態の負荷制御システム１は負荷３を逆位相制御するので、第１主電源回路は、例えば、交流電圧Ｖａｃのゼロクロス点から開閉回路１０が導通状態となるまでの期間において、交流電源２から電力を得ている。例えば、第１主電源回路は、交流電圧Ｖａｃのゼロクロス点から開閉回路１０が導通状態となるまでの期間において、整流回路ＤＢ１及びＤＢ２の少なくとも一方から入力される電流によって充電される充電要素（例えばコンデンサ等）を備える。第１主電源回路は、充電要素の両端間に発生した電圧を制御回路２０等に供給する。なお、第１主電源回路は充電要素を備える回路に限定されず、適宜変更が可能である。
【００５６】
第２主電源回路は、負荷３のオフ期間に制御回路２０等に供給する電圧を生成する。負荷３のオフ期間には、第１端子Ｔ１と第２端子Ｔ２との間に交流電圧Ｖａｃが印加され、整流回路ＤＢ１，ＤＢ２から整流後の脈流電圧が主電源回路３１に印加される。第２主電源回路は、例えば、シリーズレギュレータ方式のドロッパ電源であり、整流回路ＤＢ１，ＤＢ２から入力される脈流電圧を所定の電圧値の直流電圧に変換し、変換後の直流電圧を制御回路２０等に供給する。なお、第２主電源回路はドロッパ電源に限定されず、適宜変更が可能である。
【００５７】
複数（例えば２つ）の副電源回路３２１，３２２は、複数（例えば２つ）の開閉回路１０１，１０２に一対一に対応する。副電源回路３２１，３２２は、それぞれ、シリーズレギュレータ方式のドロッパ電源で構成されている。なお、副電源回路３２１，３２２はドロッパ電源に限定されず、適宜変更が可能である。
【００５８】
副電源回路３２１は、逆流防止用のダイオードＤ１１を介して第１端子Ｔ１に電気的に接続され、逆流防止用のダイオードＤ１２を介して第２端子Ｔ２１に電気的に接続されている。副電源回路３２１は、交流電源２から第１端子Ｔ１又は第２端子Ｔ２１を介して電力を得て、所定の電圧値の直流電圧を生成し、生成した直流電圧をゼロクロス検出部２３１，２３２及び絶縁回路２５１等に供給する。
【００５９】
同様に、副電源回路３２２は、逆流防止用のダイオードＤ２１を介して第１端子Ｔ１に電気的に接続され、逆流防止用のダイオードＤ２２を介して第２端子Ｔ２２に電気的に接続されている。副電源回路３２１は、交流電源２から第１端子Ｔ１又は第２端子Ｔ２２を介して電力を得て、所定の電圧値の直流電圧を生成し、生成した直流電圧をゼロクロス検出部２４１，２４２及び絶縁回路２５２等に供給する。
【００６０】
（３）動作
次に、本実施形態の負荷制御システム１の動作について、図３〜図６を参照して説明する。
【００６１】
（３．１）２灯を消灯させる場合の動作
負荷制御システム１が、制御親機５からの制御信号、又は、インタフェース部４０からの操作入力に応じて負荷３Ａ，３Ｂを両方共に消灯させる場合の動作について説明する。
【００６２】
主制御回路２１が、負荷３Ａ，３Ｂを両方共に消灯させる制御信号を副制御回路２２に出力すると、副制御回路２２は、ＯＦＦレベルの調光信号を制御信号Ｓ１，Ｓ２として開閉回路１０１，１０２に出力する。開閉回路１０１，１０２は、副制御回路２２から絶縁回路２５１，２５２を介して入力される制御信号Ｓ１，Ｓ２に基づいてスイッチ１１を非導通状態に維持し、負荷３Ａ，３Ｂを消灯状態とする。
【００６３】
開閉回路１０１，１０２のスイッチ１１が非導通状態であれば、開閉回路１０１，１０２のスイッチ１１の両端間に交流電源２の交流電圧Ｖａｃがそれぞれ印加される。
【００６４】
この場合、主電源回路３１は、交流電源２から第２端子Ｔ２１及び第２端子Ｔ２２の両方と第１端子Ｔ１とを介して（言い換えれば整流回路ＤＢ１及びＤＢ２を介して）電力を得ることができ、制御回路２０等に供給する電力を生成できる。
【００６５】
また、副電源回路３２１には、開閉回路１０１のスイッチ１１の両端間に発生する電圧が入力され、ゼロクロス検出部２３１，２３２等に供給する電圧を生成する。同様に、副電源回路３２２には、開閉回路１０２のスイッチ１１の両端間に発生する電圧が入力され、ゼロクロス検出部２４１，２４２等に供給する電圧を生成する。
【００６６】
（３．２）１灯を点灯させる場合の動作
主制御回路２１が、制御親機５からの制御信号、又は、インタフェース部４０からの操作入力に応じて負荷３Ａを消灯、負荷３Ｂを点灯させる場合の動作を図３及び図４に基づいて説明する。なお、図４のＶａｃは交流電源２の交流電圧、ＶＬは負荷３Ｂの両端間に発生する電圧、Ｖ１０は開閉回路１０２の両端間に発生する電圧である。
【００６７】
副制御回路２２は、負荷３を点灯させる処理を開始する前に、負荷３Ａ，３Ｂが接続されているか否かを判定する。副制御回路２２は、例えば、ゼロクロス検出部２３２から検出信号が入力されると、第１端子Ｔ１と第２端子Ｔ２１との間に負荷３Ａが接続されていると判断し、判断結果を主制御回路２１に出力する。また、副制御回路２２は、例えば、ゼロクロス検出部２３４から検出信号が入力されると、第１端子Ｔ１と第２端子Ｔ２２との間に負荷３Ｂが接続されていると判断し、判断結果を主制御回路２１に出力する。以下では、副制御回路２２が、負荷３Ａ，３Ｂが両方共に接続されていると判断した場合の動作について説明する。
【００６８】
主制御回路２１は、負荷３Ａを消灯させるため、副制御回路２２に開閉回路１０１のスイッチ１１を非導通状態とする制御信号を出力すると、副制御回路２２は、スイッチ１１を非導通状態とする制御信号Ｓ１を出力する。開閉回路１０１は、副制御回路２２からの制御信号Ｓ１が絶縁回路２５１を介して入力されるとスイッチ１１を非導通状態とし、これにより負荷３Ａが消灯する。
【００６９】
開閉回路１０１のスイッチ１１は非導通状態であるので、開閉回路１０１のスイッチ１１の両端間には交流電源２の交流電圧Ｖａｃが印加される。したがって、主電源回路３１は、第２端子Ｔ２１と第１端子Ｔ１とを介して（言い換えれば整流回路ＤＢ１を介して）主電源回路３１から電力を得ることができ、主制御回路２１及び副制御回路２２に供給する電力を生成できる。また、副電源回路３２１は、開閉回路１０１のスイッチ１１の両端間に発生する電圧が入力されて、電圧の生成動作を行う。ここで、図３において、点線ｂ１は交流電源２から主電源回路３１に電流が流れる経路を示し、点線ｂ２は交流電源２から副電源回路３２１に電流が流れる経路を示している。
【００７０】
また、主制御回路２１は、負荷３Ｂを調光点灯させるため、負荷３Ｂの調光レベルを示す制御信号を副制御回路２２に出力する。副制御回路２２は、主制御回路２１から入力された制御信号と、ゼロクロス検出部２４１，２４２の検出信号とに基づいて、スイッチ１１を導通状態又は非導通状態にする制御信号Ｓ２を出力する。副制御回路２２から出力された制御信号Ｓ２は、絶縁回路２５２を介して開閉回路１０２に入力される。これにより、開閉回路１０２のスイッチ１１が、交流電圧Ｖａｃの各半周期において調光レベルに応じた位相角の範囲で導通するので、負荷３Ｂが所望の調光レベルで調光点灯する。
【００７１】
ここで、交流電圧Ｖａｃが正極性の半周期において負荷制御システム１が負荷３Ｂを調光する動作について図３及び図４を参照して説明する。副制御回路２２は、交流電圧Ｖａｃの正極性の半周期において、ゼロクロス検出部２４１が交流電圧Ｖａｃのゼロクロス点を検出した結果に基づき、ゼロクロス点（図４の時点ｔ０）から第１期間ＴＡ１が経過したタイミング（図４の時点ｔ１）で、開閉回路１０２のスイッチ１１を導通状態に制御する。この第１期間ＴＡ１は、副電源回路３２２が必要な電圧を生成するのに要する期間であり、副電源回路３２２の出力電圧Ｖ３２２が所定の下限電圧を超えるまでの期間である。副制御回路２２には、副電源回路３２２から出力電圧Ｖ３２２の情報が絶縁回路を介して入力されており、出力電圧Ｖ３２２が下限電圧を超えると、副制御回路２２は交流電圧Ｖａｃのゼロクロス点から第１期間ＴＡ１が経過したと判断する。
【００７２】
ここで、交流電圧Ｖａｃの正極性の半周期において、交流電圧Ｖａｃのゼロクロス点（時点ｔ０）から時点ｔ１までの第１期間ＴＡ１では、開閉回路１０２のスイッチ１１が非導通状態であり、副電源回路３２２は交流電源２から電力の供給を受けて、絶縁回路２５２等に供給する電圧の生成動作を行うことができる。
【００７３】
その後、副制御回路２２は、時点ｔ１から調光レベルに応じた導通期間Ｔ１０が経過したタイミング（図４の時点ｔ２）で、開閉回路１０２のスイッチ１１を非導通状態に制御する制御信号Ｓ２を出力する。これにより、時点ｔ１から時点ｔ２までの導通期間Ｔ１０において、交流電源２から開閉回路１０２のスイッチ１１を介して負荷３Ｂに電力が供給されるので、負荷３Ｂが所定の調光レベルで点灯する。
【００７４】
その後、交流電圧Ｖａｃの電圧値の絶対値が所定の基準電圧を下回ると（図４の時点ｔ３）、副電源回路３２２が電圧の生成動作を実行する。この基準電圧は、負荷３Ｂが動作可能な電圧値よりも低い電圧に設定されている。交流電圧Ｖａｃの電圧値の絶対値が基準電圧以下であれば、副電源回路３２２が電圧の生成動作を実行しても、負荷３Ｂが点灯することはない。これにより、時点ｔ３から交流電圧Ｖａｃのゼロクロス点（図４の時点ｔ４）までの第２期間ＴＡ２においても、副電源回路３２２は交流電源２から電力の供給を受けることができる。したがって、副電源回路３２２は、第２期間ＴＡ２においても交流電源２から電力の供給を受けて、電圧の生成動作を実行できる。
【００７５】
次に、交流電圧Ｖａｃの負極性の半周期における負荷制御システム１の動作について説明する。副制御回路２２は、交流電圧Ｖａｃの負極性の半周期において、ゼロクロス検出部２４２が交流電圧Ｖａｃのゼロクロス点を検出した結果に基づき、ゼロクロス点（図４の時点ｔ４）から第１期間ＴＡ１が経過したタイミング（図４の時点ｔ５）で、開閉回路１０２のスイッチ１１を導通状態に制御する。
【００７６】
交流電圧Ｖａｃの負極性の半周期において、交流電圧Ｖａｃのゼロクロス点（時点ｔ４）から時点ｔ５までの第１期間ＴＡ１では、開閉回路１０２のスイッチ１１が非導通状態であり、副電源回路３２２は交流電源２から電力の供給を受けて、電圧の生成動作を実行できる。
【００７７】
その後、副制御回路２２は、時点ｔ５から調光レベルに応じた導通期間Ｔ１０が経過したタイミング（図４の時点ｔ６）で、開閉回路１０２のスイッチ１１を非導通状態に制御する。これにより、時点ｔ５から時点ｔ６までの導通期間Ｔ１０において、交流電源２から開閉回路１０２のスイッチ１１を介して負荷３Ｂに電力が供給されるので、負荷３Ｂが所定の調光レベルで点灯する。
【００７８】
その後、交流電圧Ｖａｃの電圧値の絶対値が所定の基準電圧を下回ると（図４の時点ｔ７）、副電源回路３２２が電圧の生成動作を実行する。これにより、時点ｔ７から交流電圧Ｖａｃのゼロクロス点（図４の時点ｔ８）までの第２期間ＴＡ２においても、副電源回路３２２は交流電源２から電力の供給を受けることができる。したがって、副電源回路３２２は、第２期間ＴＡ２においても交流電源２から電力の供給を受けて、副制御回路２２等に供給するための電力を生成することができる。
【００７９】
負荷制御システム１は、交流電圧Ｖａｃの正極性の半周期における動作と、交流電圧Ｖａｃの負極性の半周期における動作とを交互に繰り返すことで、負荷３Ｂを調光点灯しつつ、負荷３Ａを消灯させることができる。
【００８０】
なお、負荷制御システム１が負荷３Ｂを消灯させつつ、負荷３Ａを調光点灯させる場合の動作は、負荷３Ａを消灯させつつ、負荷３Ｂを調光点灯させる場合の動作と同様であるので、その場合の動作については説明を省略する。
【００８１】
（３．３）２灯を点灯させる場合の動作
主制御回路２１が、制御親機５からの制御信号、又は、インタフェース部４０からの操作入力に応じて負荷３Ａ，３Ｂを点灯させる場合の動作を図５に基づいて説明する。
【００８２】
副制御回路２２は、負荷３を点灯させる処理を開始する前に、負荷３Ａ，３Ｂが接続されているか否かを判定しており、以下では、副制御回路２２が、負荷３Ａ，３Ｂが両方共に接続されていると判断した場合の動作について説明する。
【００８３】
主制御回路２１は、副制御回路２２に負荷３Ａ，３Ｂの調光レベルを示す制御信号を出力する。
【００８４】
副制御回路２２は、主制御回路２１から制御信号が入力されると、負荷３Ａ，３Ｂの調光レベルに応じた位相角で開閉回路１０１，１０２のスイッチ１１のオン／オフを制御し、負荷３Ａ，３Ｂを調光点灯する。
【００８５】
負荷３Ａ，３Ｂの両方を点灯させる場合、副制御回路２２は、交流電圧Ｖａｃの各半周期において開閉回路１０１のスイッチ１１を導通状態とするタイミングを、主電源回路３１の出力電圧Ｖ３１と副電源回路３２１の出力電圧Ｖ３２１とに基づいて決定する。また、副制御回路２２は、交流電圧Ｖａｃの各半周期において開閉回路１０２のスイッチ１１を導通状態とするタイミングを、副電源回路３２２の出力電圧Ｖ３２２に基づいて決定する。
【００８６】
まず、交流電圧Ｖａｃが正極性の半周期において副制御回路２２が開閉回路１０１のスイッチ１１のオン／オフを制御する動作について説明する。副制御回路２２は、交流電圧Ｖａｃの正極性の半周期において、ゼロクロス検出部２３１が交流電圧Ｖａｃのゼロクロス点を検出した結果に基づき、ゼロクロス点から第１期間ＴＡ１が経過したタイミングで、開閉回路１０１のスイッチ１１を導通状態に制御する。
【００８７】
交流電圧Ｖａｃのゼロクロス点から開閉回路１０１のスイッチ１１が導通状態に制御されるまでの期間では、主電源回路３１及び副電源回路３２１は、開閉回路１０１の両端間に発生する交流電圧Ｖａｃが供給されるので、電圧の生成動作を行う。図５中の点線ｂ１１は交流電源２から主電源回路３１に電流が流れる経路を示し、点線ｂ１２は交流電源２から副電源回路３２１に電流が流れる経路を示している。ここで、副制御回路２２は、主電源回路３１の出力電圧Ｖ３１の電圧値と、副電源回路３２２の出力電圧Ｖ３２１の電圧値とに基づいて第１期間ＴＡ１の時間幅を決定する。副制御回路２２１には、主電源回路３１から出力電圧Ｖ３１の電圧値の情報が入力され、副電源回路３２１から出力電圧Ｖ３２１の電圧値の情報が絶縁回路を介して入力される。副制御回路２２は、主電源回路３１の出力電圧Ｖ３１と、副電源回路３２１の出力電圧Ｖ３２１との両方がそれぞれの下限電圧を超えたタイミングで開閉回路１０１のスイッチ１１を導通状態に制御する。これにより、副制御回路２２は、主電源回路３１、及び、副電源回路３２２が必要な電圧を生成した後に、開閉回路１０１のスイッチ１１を導通状態に制御することができる。
【００８８】
そして、副制御回路２２は、開閉回路１０１のスイッチ１１を導通状態にしたタイミングから、調光レベルに応じた導通期間Ｔ１０が経過したタイミングで、開閉回路１０１のスイッチ１１を非導通状態に制御する。これにより、交流電源２から開閉回路１０１のスイッチ１１を介して負荷３Ａに電力が供給されるので、負荷３Ａが所定の調光レベルで点灯する。
【００８９】
次に、交流電圧Ｖａｃが正極性の半周期において副制御回路２２が開閉回路１０２のスイッチ１１のオン／オフを制御する動作について説明する。副制御回路２２は、交流電圧Ｖａｃの正極性の半周期において、ゼロクロス検出部２４１が交流電圧Ｖａｃのゼロクロス点を検出した結果に基づき、ゼロクロス点から第１期間ＴＡ１が経過したタイミングで、開閉回路１０２のスイッチ１１を導通状態に制御する。
【００９０】
交流電圧Ｖａｃのゼロクロス点から開閉回路１０２のスイッチ１１が導通状態に制御されるまでの期間では、副電源回路３２２は、開閉回路１０２の両端間に発生する交流電圧Ｖａｃが供給されるので、電圧の生成動作を行う。図５中の点線ｂ１３は交流電源２から副電源回路３２２に電流が流れる経路を示している。ここで、副制御回路２２は、副電源回路３２２の出力電圧Ｖ３２２の電圧値に基づいて第１期間ＴＡ１の時間幅を決定する。副制御回路２２には、副電源回路３２２から出力電圧Ｖ３２２の電圧値の情報が絶縁回路を介して入力される。副制御回路２２は、副電源回路３２２の出力電圧が、副電源回路３２２の下限電圧を超えたタイミングで開閉回路１０２のスイッチ１１を導通状態に制御する。したがって、副制御回路２２は、副電源回路３２２が必要な電圧を生成した後に、開閉回路１０２のスイッチ１１を導通状態に制御することができる。
【００９１】
そして、副制御回路２２は、開閉回路１０２のスイッチ１１を導通状態にしたタイミングから、調光レベルに応じた導通期間Ｔ１０が経過したタイミングで、開閉回路１０２のスイッチ１１を非導通状態に制御する。これにより、交流電源２から開閉回路１０２のスイッチ１１を介して負荷３Ｂに電力が供給されるので、負荷３Ｂが所定の調光レベルで点灯する。
【００９２】
負荷制御システム１は、交流電圧Ｖａｃが負極性の半周期においても、正極性の半周期と同様の制御を行う。そして、負荷制御システム１は、交流電圧Ｖａｃの正極性の半周期における動作と、交流電圧Ｖａｃの負極性の半周期における動作とを交互に繰り返すことで、負荷３Ａ，３Ｂを調光点灯する。
【００９３】
（３．４）片側無負荷状態での点灯動作
負荷３Ａ，３Ｂのうち片方の負荷３Ａが故障等によって無負荷状態となった場合に、もう一方の負荷３Ｂを点灯させる場合の動作を図６に基づいて説明する。
【００９４】
副制御回路２２は、負荷３を点灯させる処理を開始する前に、負荷３Ａ，３Ｂが接続されているか否かを判定しており、負荷３Ａが無負荷状態であると判断した場合の動作について以下に説明する。
【００９５】
負荷３Ａが無負荷状態である場合、主電源回路３１は、負荷３Ｂに対応する開閉回路１０２の両端間に発生する電圧から電力を得ることになる。そのため、副制御回路２２は、主電源回路３１の出力電圧Ｖ３１と、副電源回路３２２の出力電圧Ｖ３２２の出力電圧Ｖ３２２とに基づいて、開閉回路１０２のスイッチ１１を導通状態にするタイミングを決定する。
【００９６】
ここで、交流電圧Ｖａｃが正極性の半周期において副制御回路２２が開閉回路１０２のスイッチ１１のオン／オフを制御する動作について説明する。副制御回路２２は、交流電圧Ｖａｃの正極性の半周期において、ゼロクロス検出部２４１が交流電圧Ｖａｃのゼロクロス点を検出した結果に基づき、ゼロクロス点から第１期間ＴＡ１が経過したタイミングで、開閉回路１０２のスイッチ１１を導通状態に制御する。
【００９７】
交流電圧Ｖａｃのゼロクロス点から開閉回路１０２のスイッチ１１が導通状態に制御されるまでの期間では、主電源回路３１及び副電源回路３２２は、開閉回路１０２の両端間に発生する交流電圧Ｖａｃが供給されるので、電圧の生成動作を行う。図６中の点線ｂ２１は交流電源２から主電源回路３１に電流が流れる経路を示し、点線ｂ２２は交流電源２から副電源回路３２２に電流が流れる経路を示している。ここで、副制御回路２２は、主電源回路３１の出力電圧Ｖ３１の電圧値と、副電源回路３２２の出力電圧Ｖ３２１の電圧値とに基づいて第１期間ＴＡ１の時間幅を決定する。すなわち、副制御回路２２は、主電源回路３１の出力電圧Ｖ３１と副電源回路３２２の出力電圧Ｖ３２２との両方が、それぞれの下限電圧を超えたタイミングで開閉回路１０２のスイッチ１１を導通状態に制御する。したがって、副制御回路２２は、主電源回路３１及び副電源回路３２２が必要な電圧を生成した後に、開閉回路１０２のスイッチ１１を導通状態に制御することができる。
【００９８】
そして、副制御回路２２は、開閉回路１０２のスイッチ１１を導通状態にしたタイミングから、調光レベルに応じた導通期間Ｔ１０が経過したタイミングで、開閉回路１０２のスイッチ１１を非導通状態に制御する。これにより、交流電源２から開閉回路１０２のスイッチ１１を介して負荷３Ｂに電力が供給されるので、負荷３Ｂが所定の調光レベルで点灯する。
【００９９】
負荷制御システム１は、交流電圧Ｖａｃが負極性の半周期においても、正極性の半周期と同様の制御を行う。負荷制御システム１は、交流電圧Ｖａｃの正極性の半周期における動作と、交流電圧Ｖａｃの負極性の半周期における動作とを交互に繰り返すことで、負荷３Ａ，３Ｂを調光点灯する。
【０１００】
以上のように本実施形態では、電源回路３０は、複数の第２端子Ｔ２のうち一部の第２端子Ｔ２が無負荷状態である場合、複数の第２端子Ｔ２のうち上記一部の第２端子Ｔ２以外の第２端子Ｔ２と第１端子Ｔ１とを介して交流電源２から電力を得ている。したがって、電源回路３０は、複数の第２端子Ｔ２のうちの一部が無負荷状態となった場合でも、他の第２端子Ｔ２を介して電力を得ることができるので、負荷制御システム１は動作を継続できる。
【０１０１】
（４）変形例
上記実施形態は、本開示の様々な実施形態の一つに過ぎない。上記実施形態は、本開示の目的を達成できれば、設計等に応じて種々の変更が可能である。
【０１０２】
以下、上記の実施形態の変形例を列挙する。以下に説明する変形例は、適宜組み合わせて適用可能である。
【０１０３】
本開示における負荷制御システム１は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における負荷制御システム１としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成又はＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【０１０４】
また、負荷制御システム１における複数の機能が、１つの筐体（器体９０）内に集約されていることは負荷制御システム１に必須の構成ではなく、負荷制御システム１の構成要素は、複数の筐体に分散して設けられていてもよい。さらに、負荷制御システム１の少なくとも一部の機能がクラウド（クラウドコンピューティング）等によって実現されてもよい。
【０１０５】
上記実施形態の負荷制御システム１は、負荷３の数が２つであるが、３つ以上の負荷３を個別に制御してもよい。すなわち、第２端子Ｔ２、及び、第２端子Ｔ２と第１端子Ｔ１との間に接続される開閉回路１０の数が３つ以上でもよく、３つ以上の負荷３を個別に制御できる。この場合、電源回路３０は、３つ以上の第２端子Ｔ２に電気的に接続され、３つ以上の第２端子Ｔ２のうちの一部又は全部を介して電力を得て、電圧の生成動作を行えばよい。
【０１０６】
上記実施形態の負荷制御システム１は、光源としてＬＥＤ素子を用いた負荷３に限らず、コンデンサインプット型の回路を搭載し、インピーダンスが高く、少ない電流で点灯する光源に適用可能である。この種の光源としては、例えば有機ＥＬ（Electroluminescence）素子が挙げられる。また、負荷制御システム１は、例えば放電灯など、様々な光源の負荷３に適用可能である。
【０１０７】
さらに、負荷制御システム１によって制御される負荷３は、照明負荷に限らず、例えば、ヒータ、又はファン等であってもよい。負荷３がヒータである場合、負荷制御システム１は、ヒータに供給する平均電力を調節することでヒータの発熱量を調節する。また、負荷３がファンである場合、負荷制御システム１は、ファンの回転速度を調節するレギュレータを構成する。
【０１０８】
また、スイッチ１１は、ＭＯＳＦＥＴからなるスイッチ素子Ｑ１，Ｑ２で構成されるものに限らず、例えば、逆直列に接続された２つのＩＧＢＴ（Insulated Gate Bipolar Transistor）等で構成されていてもよい。さらに、スイッチ１１において、一方向オン状態を実現するための整流素子（ダイオード）は、スイッチ素子Ｑ１，Ｑ２の寄生ダイオードに限らず、外付けのダイオードであってもよい。ダイオードは、スイッチ素子Ｑ１，Ｑ２の各々と同一パッケージに内蔵されていてもよい。また、スイッチ１１は、例えば、ＧａＮ（窒化ガリウム）等のワイドバンドギャップの半導体材料を用いたダブルゲート（デュアルゲート）構造の半導体素子であってもよい。この構成によれば、スイッチ１１の導通損失の低減を図ることができる。
【０１０９】
また、スイッチ１１の制御においては、「双方向オン状態」の代わりに「順方向オン状態」に制御することも可能であり、逆に「順方向オン状態」の代わりに「双方向オン状態」に制御することも可能である。また、「双方向オフ状態」の代わりに「逆方向オン状態」に制御することも可能であり、「逆方向オン状態」の代わりに「双方向オフ状態」に制御することも可能である。すなわち、スイッチ１１が、導通状態又は非導通状態の状態が変わらなければよい。
【０１１０】
また、スイッチ１１の制御方式は逆位相制御方式であるが、交流電圧Ｖａｃの半周期ごとの期間途中で負荷３Ａ，３Ｂへの給電を開始し、交流電圧Ｖａｃの次の半周期のゼロクロス点で負荷３Ａ，３Ｂへの給電を遮断する正位相制御方式でもよい。また、スイッチ１１の制御方式は、正位相制御方式及び逆位相制御方式のいずれにも対応可能なユニバーサル制御方式であってもよい。
【０１１１】
また、電圧値などの２値の比較において、「以上」としているところは「より大きい」であってもよい。つまり、２値の比較において、２値が等しい場合を含むか否かは、基準値等の設定次第で任意に変更できるので、「以上」か「より大きい」かに技術上の差異はない。同様に、「下回る」としているところは「以下」であってもよい。
【０１１２】
（４．１）変形例１
変形例１に係る負荷制御システム１は、図７に示すように、第１回路ブロックＢ１と、複数（例えば２つ）の第２回路ブロックＢ２（Ｂ２１，Ｂ２２）とを更に備える点で上記の実施形態と相違する。以下、上記の実施形態と同様の構成については、共通の符号を付して適宜説明を省略する。
【０１１３】
複数の第２回路ブロックＢ２は、第２接続部を有する。具体的には、第２回路ブロックＢ２１は第２接続部８２を有し、第２回路ブロックＢ２２は第２接続部８３を有する。第２回路ブロックＢ２１が有する第２接続部８２の一部は第１回路ブロックＢ１が有する第１接続部８１に電気的に接続され、第２回路ブロックＢ２１が有する第２接続部８２の残りは第２回路ブロックＢ２２が有する第２接続部８３に電気的に接続される。第２回路ブロックＢ２２が有する第２接続部８３の一部は第１回路ブロックＢ１が有する第１接続部８１に電気的に接続され、第２回路ブロックＢ２２が有する第２接続部８３の残りは第２回路ブロックＢ２１が有する第２接続部８２に電気的に接続される。第２回路ブロックＢ２１，Ｂ２２は、第２接続部８２，８３を第１接続部８１に接続することによって、第２接続部８２，８３を介して第１回路ブロックＢ１に電気的に接続される。ここで、第１接続部８１と第２接続部８２，８３とは、コネクタ、ジャンパ線又は電線等の適宜の導電接続部材で構成されていればよい。
【０１１４】
第１回路ブロックＢ１は、制御回路２０の少なくとも一部（例えば主制御回路２１）と電源回路３０の少なくとも一部（例えば主電源回路３１）とを含む回路を収容する第１の筐体９１を有している。
【０１１５】
また、第２回路ブロックＢ２１，Ｂ２２は複数の開閉回路１０１，１０２に一対一に対応しており、第２回路ブロックＢ２１，Ｂ２２は開閉回路１０１，１０２のうち対応する一の開閉回路１０を収容する第２の筐体９２１，９２２を有している。すなわち、第２回路ブロックＢ２１は開閉回路１０１を収容する第２の筐体９２１を有し、第２回路ブロックＢ２２は開閉回路１０２を収容する第２の筐体９２２を有している。ここで、第２の筐体９２１，９２２は第１の筐体９１に対してそれぞれ着脱可能である。
【０１１６】
ここで、負荷制御システム１の器体９０は、第１の筐体９１と第２の筐体９２１，９２２とを含み、第１の筐体９１に第２の筐体９２１，９２２を取り付けると、第１接続部８１に第２接続部８２，８３が電気的に接続される。ここで、第１の筐体９１と第２の筐体９２１，９２２とは着脱が可能であり、モジュール化された第１回路ブロックＢ１に第２回路ブロックＢ２１，Ｂ２２を取り付けることで負荷制御システム１を実現できる。
【０１１７】
（４．２）変形例２
変形例２に係る負荷制御システム１は、図８に示すように、複数の開閉回路１０１，１０２のそれぞれに対応して複数の副制御回路２２１，２２２を備える点で上記の実施形態と相違する。以下、上記の実施形態と同様の構成については、共通の符号を付して適宜説明を省略する。
【０１１８】
副制御回路２２１は、主制御回路２１から絶縁回路２５１を介して入力される制御信号と、ゼロクロス検出部２３１，２３２の検出結果とに基づいて、開閉回路１０１のスイッチ１１を導通状態又は非導通状態に制御する。
【０１１９】
また、副制御回路２２２は、主制御回路２１から絶縁回路２５２を介して入力される制御信号と、ゼロクロス検出部２４１，２４２の検出結果とに基づいて、開閉回路１０２のスイッチ１１を導通状態又は非導通状態に制御する。
【０１２０】
なお、負荷制御システム１の動作は上記の実施形態と同様であるので、その説明は省略する。
【０１２１】
変形例２では、制御回路２０が、主制御回路２１と、複数の副制御回路２２１，２２２とを含む。複数の副制御回路２２１，２２は複数の開閉回路１０１，１０２に一対一に対応する。主制御回路２１は、複数の副制御回路２２１，２２２を制御し、複数の副制御回路２２１，２２２の各々は、複数の開閉回路１０１，１０２のうち対応する一の開閉回路１０のスイッチ１１を制御する。これにより、変形例２では、主制御回路２１が複数の開閉回路１０で共用されている。すなわち、制御回路２０の一部である主制御回路２１が複数の開閉回路１０で共用される共用回路であり、複数の開閉回路１０で主制御回路２１を共用することで、負荷制御システム１全体として回路規模を削減できる。
【０１２２】
また、変形例２では、電源回路３０が、主電源回路３１と、複数の副電源回路３２１，３２２とを含む。複数の副電源回路３２１，３２２は複数の副制御回路２２１，２２２に一対一に対応する。主電源回路３１は、主制御回路２１に電力を供給し、複数の副電源回路３２１，３２２の各々は、複数の副制御回路２２１，２２２のうち対応する一の副制御回路２２１，２２２に電力を供給する。これにより、変形例２では、主電源回路３１が複数の開閉回路１０で共用されている。すなわち、電源回路３０の一部である主電源回路３１は、複数の開閉回路１０で共用される主制御回路２１に電力を供給するので、主電源回路３１も複数の開閉回路１０によって共用されている。変形例２では、主電源回路３１が複数の開閉回路１０によって共用されるので、負荷制御システム１全体として回路規模を更に削減できる。
【０１２３】
（４．３）変形例３
変形例３に係る負荷制御システム１は、図９及び図１０に示すように、副制御回路２２と開閉回路１０１との間が電気的に絶縁されていない点で上記の実施形態と相違する。以下、上記の実施形態と同様の構成については、共通の符号を付して適宜説明を省略する。なお、図９及び図１０ではインタフェース部４０及び制御親機５の図示を省略している。
【０１２４】
変形例３では、複数の開閉回路１０１，１０２のうち、開閉回路１０１のグランドと、主電源回路３１のグランドとを共通にすることで、開閉回路１０１と副制御回路２２との間を電気的に絶縁する絶縁回路を無くしている。また、開閉回路１０１のグランドと、主電源回路３１のグランドとを共通にしているので、ゼロクロス検出部２３１，２３２と副制御回路２２との間を電気的に絶縁する絶縁回路を無くしている。副制御回路２２は、主制御回路２１から入力される制御信号と、ゼロクロス検出部２３１，２３２の検出信号とに基づいて、開閉回路１０１に制御信号Ｓ１を出力し、開閉回路１０１のスイッチ１１を導通状態又は非導通状態に制御する。
【０１２５】
また、変形例３では、主電源回路３１のグランドとダイオードＤ６との間にスイッチ（開閉器）ＳＷ１を設けており、副制御回路２２がスイッチＳＷ１のオン／オフを制御する。スイッチＳＷ１はノーマリオンの接点であり、副制御回路２２から制御信号が入力されない場合はスイッチＳＷ１はオンになる。
【０１２６】
副制御回路２２は、負荷３Ａ，３Ｂが接続されている状態で、負荷３Ａを点灯させ、負荷３Ｂを消灯させる場合はスイッチＳＷ１をオフにする。この場合、主電源回路３１は、交流電源２から第１端子Ｔ１と第２端子Ｔ２１とを介して電力を得て、主制御回路２１及び副制御回路２２等に供給する電力を生成する。スイッチＳＷ１がオフになると、主電源回路３１と第２端子Ｔ２２との間が遮断されるので、第２端子Ｔ２２から主電源回路３１にノイズなどの外乱が入力されにくくなる。
【０１２７】
また、副制御回路２２は、負荷３Ａが接続されておらず、負荷３Ｂのみが接続されていると判断した場合はスイッチＳＷ１をオンにする。この場合、主電源回路３１は、交流電源２から第１端子Ｔ１と第２端子Ｔ２２とを介して電力を得て、主制御回路２１及び副制御回路２２等に供給する電力を生成することができる。
【０１２８】
また、変形例３では、開閉回路１０２のスイッチ１１を制御する副制御回路２２２を設け、副制御回路２２２は、副電源回路３２２から電力を得て動作する。副制御回路２２２は、主制御回路２１から絶縁回路２５２を介して入力される制御信号Ｓ３と、ゼロクロス検出部２４１，２４２の検出信号とに基づいて、開閉回路１０２に制御信号Ｓ４を出力し、開閉回路１０２のスイッチ１１を導通状態又は非導通状態に制御する。
【０１２９】
以下に、変形例３の負荷制御システム１の動作について説明する。
【０１３０】
（ａ）２灯消灯時の動作
負荷制御システム１が、制御親機５からの制御信号、又は、インタフェース部４０からの操作入力に応じて負荷３Ａ，３Ｂを両方共に消灯させる場合の動作について説明する。
【０１３１】
ここで、主制御回路２１及び副制御回路２２は、負荷３を点灯させる処理を開始する前に、負荷３が接続されているか否かを判定する。副制御回路２２は、例えば、ゼロクロス検出部２３２から検出信号が入力されると、第１端子Ｔ１と第２端子Ｔ２１との間に負荷３Ａが接続されていると判断し、判断結果を主制御回路２１に出力する。また、主制御回路２１は、例えば、絶縁回路２５２を介して副制御回路２２２との通信が可能であれば、第１端子Ｔ１と第２端子Ｔ２２との間に負荷３Ｂが接続されていると判断する。ここで、絶縁回路２５２は、主制御回路２１と副制御回路２２２との間で双方向の信号伝達が可能である。主制御回路２１は、絶縁回路２５２を介して副制御回路２２２に生存確認信号を出力し、副制御回路２２２から絶縁回路２５２を介して生存確認信号に対する応答信号を受信できれば、負荷３Ｂが接続されていると判断する。負荷３Ａ，３Ｂが両方共に接続されている場合、主制御回路２１はスイッチＳＷ１をオンにする。
【０１３２】
主制御回路２１が、負荷３Ａ，３Ｂを両方共に消灯させる制御信号を副制御回路２２，２２２に出力すると、副制御回路２２，２２２は、スイッチ１１を非導通状態とする制御信号Ｓ１，Ｓ３を開閉回路１０１，１０２にそれぞれ出力する。
【０１３３】
開閉回路１０１は、副制御回路２２から入力される制御信号Ｓ１に基づいてスイッチ１１を非導通状態に維持し、負荷３Ａを消灯状態とする。また、開閉回路１０２は、副制御回路２２２から入力される制御信号Ｓ３に基づいてスイッチ１１を非導通状態に維持し、負荷３Ｂを消灯状態とする。
【０１３４】
ここで、開閉回路１０１のスイッチ１１が非導通状態であれば、開閉回路１０１のスイッチ１１の両端間に交流電源２の交流電圧Ｖａｃが印加される。したがって、主電源回路３１は、交流電源２から第１端子Ｔ１と第２端子Ｔ２１とを介して電力を得て、主制御回路２１及び副制御回路２２に供給する電力を生成することができる。
【０１３５】
（ｂ）負荷３Ａのみを点灯時させる場合の動作
主制御回路２１が、制御親機５からの制御信号、又は、インタフェース部４０からの操作入力に応じて負荷３Ａを点灯、負荷３Ｂを消灯させる場合の動作について説明する。
【０１３６】
主制御回路２１及び副制御回路２２は、負荷３を点灯させる処理を開始する前に、負荷３が接続されているか否かを判定している。負荷３Ａ，３Ｂが両方共に接続されている状態で、負荷３Ａを点灯、負荷３Ｂを消灯させる場合、主制御回路２１はスイッチＳＷ１をオフにする。
【０１３７】
スイッチＳＷ１がオフになると、主電源回路３１は、交流電源２から第１端子Ｔ１と第２端子Ｔ２１とを介して電力を得て、主制御回路２１及び副制御回路２２等に供給する電力を生成する。
【０１３８】
この場合、副制御回路２２は、主制御回路２１から入力される制御信号と、ゼロクロス検出部２３１，２３２の検出信号とに基づいて、開閉回路１０１のスイッチ１１を制御し、負荷３Ａを制御信号の調光レベルに応じた明るさで調光点灯させる。
【０１３９】
また、開閉回路１０２のスイッチ１１は非導通状態に制御されるので、開閉回路１０２の両端間には交流電源２の交流電圧Ｖａｃが印加される。したがって、副電源回路３２２は、交流電源２から第１端子Ｔ１と第２端子Ｔ２２とを介して電力を得て、副制御回路２２２に供給する電力を生成することができる。
【０１４０】
（ｃ）負荷３Ｂのみを点灯させる場合の動作
主制御回路２１が、制御親機５からの制御信号、又は、インタフェース部４０からの操作入力に応じて負荷３Ａを消灯、負荷３Ｂを点灯させる場合の動作について説明する。
【０１４１】
主制御回路２１及び副制御回路２２は、負荷３を点灯させる処理を開始する前に、負荷３が接続されているか否かを判定している。負荷３Ａ，３Ｂが両方共に接続されている状態で、負荷３Ａを消灯、負荷３Ｂを点灯させる場合、主制御回路２１はスイッチＳＷ１をオフにする。なお、主制御回路２１はスイッチＳＷ１をオンにしてもよい。
【０１４２】
主制御回路２１は、ＯＦＦレベルの調光信号である制御信号を副制御回路２２に出力し、副制御回路２２は、スイッチ１１を非導通状態にする制御信号Ｓ１を開閉回路１０１に出力する。このとき、開閉回路１０１は、副制御回路２２から入力される制御信号Ｓ１に基づいてスイッチ１１を非導通状態に制御する。開閉回路１０１のスイッチ１１が非導通状態であれば、開閉回路１０１の両端間に交流電源２の交流電圧Ｖａｃが印加される。これにより、主電源回路３１は、交流電源２から第１端子Ｔ１と第２端子Ｔ２１とを介して電力を得て、主制御回路２１及び副制御回路２２２に供給する電力を生成できる。
【０１４３】
また、主制御回路２１は、副制御回路２２２に対して制御信号Ｓ３を出力する。主制御回路２１から出力された制御信号Ｓ３は絶縁回路２５２を介して副制御回路２２２に入力される。副制御回路２２２は、主制御回路２１から入力された制御信号Ｓ３と、ゼロクロス検出部２４１，２４２の検出信号とに基づいて、開閉回路１０２のスイッチ１１を制御する制御信号Ｓ４を開閉回路１０２に出力する。開閉回路１０２は、副制御回路２２２から入力される制御信号Ｓ４に基づいてスイッチ１１を調光レベルに応じた位相角の範囲で導通状態に制御しており、負荷３Ｂを制御信号の調光レベルに応じた明るさで調光点灯させる。
【０１４４】
（ｄ）負荷３Ａのみが接続された場合の動作
第１端子Ｔ１と第２端子Ｔ２１との間に負荷３Ａが電気的に接続され、第１端子Ｔ１と第２端子Ｔ２２との間に負荷３Ｂが電気的に接続されていない場合の負荷制御システム１の動作について説明する。
【０１４５】
主制御回路２１及び副制御回路２２は、負荷３を点灯させる処理を開始する前に、負荷３が接続されているか否かを判定するのであるが、負荷３Ｂが接続されていないと判断されると、主制御回路２１はスイッチＳＷ１をオフにする。
【０１４６】
スイッチＳＷ１がオフになると、主電源回路３１と第２端子Ｔ２２との間が電気的に遮断される。この場合、主電源回路３１は、交流電源２から第１端子Ｔ１と第２端子Ｔ２１とを介して電力を得て、主制御回路２１及び副制御回路２２等に供給する電力を生成する。
【０１４７】
副制御回路２２は、主制御回路２１から入力される制御信号と、ゼロクロス検出部２３１，２３２の検出信号とに基づいて、開閉回路１０１のスイッチ１１を制御し、負荷３Ａを制御信号の調光レベルに応じた明るさで調光点灯させる。
【０１４８】
（ｅ）負荷３Ｂのみが接続された場合の動作
第１端子Ｔ１と第２端子Ｔ２２との間に負荷３Ｂが電気的に接続され、負荷３Ａの故障や未接続により第１端子Ｔ１と第２端子Ｔ２１との間が無負荷状態となった場合の負荷制御システム１の動作について図１０に基づいて説明する。
【０１４９】
スイッチＳＷ１はノーマリオンの接点であるので、主電源回路３１が第１端子Ｔ１と第２端子Ｔ２１とを介して電力を得ることができない場合、スイッチＳＷ１はオンになる。これにより、主電源回路３１のグランドがスイッチＳＷ１を介して第２端子Ｔ２２に接続されるので、主電源回路３１は、交流電源２から第１端子Ｔ１と第２端子Ｔ２２とを介して電力を得て、主制御回路２１と副制御回路２２とに電力を供給する。主制御回路２１及び副制御回路２２は、負荷３を点灯させる処理を開始する前に、負荷３が接続されているか否かを判定しており、負荷３Ａが接続されていないと判断されると、スイッチＳＷ１をオンにする。これにより、スイッチＳＷ１がオン状態を維持し、主電源回路３１は、交流電源２から第１端子Ｔ１と第２端子Ｔ２２とを介して電力を得て、主制御回路２１及び副制御回路２２等に電力を供給する。
【０１５０】
この場合、副制御回路２２２は、主制御回路２１から入力される制御信号Ｓ３と、ゼロクロス検出部２４１，２４２の検出信号とに基づいて、開閉回路１０２のスイッチ１１を制御するのであるが、その動作について以下に説明する。
【０１５１】
交流電圧Ｖａｃが正極性の半周期において副制御回路２２２が開閉回路１０２のスイッチ１１のオン／オフを制御する動作について説明する。副制御回路２２２は、交流電圧Ｖａｃの正極性の半周期において、ゼロクロス検出部２４１が交流電圧Ｖａｃのゼロクロス点を検出した結果に基づき、ゼロクロス点から第１期間ＴＡ１が経過したタイミングで、開閉回路１０２のスイッチ１１を導通状態に制御する。
【０１５２】
交流電圧Ｖａｃのゼロクロス点から開閉回路１０２のスイッチ１１が導通状態に制御されるまでの期間では、主電源回路３１及び副電源回路３２２は、開閉回路１０２の両端間に発生する交流電圧Ｖａｃが供給されるので、電圧の生成動作を行う。図１０中の点線ｂ３１は交流電源２から主電源回路３１に電流が流れる経路を示している。ここで、副制御回路２２２は、主電源回路３１の出力電圧Ｖ３１の電圧値と、副電源回路３２２の出力電圧Ｖ３２２の電圧値とに基づいて第１期間ＴＡ１の時間幅を決定する。副制御回路２２２には、主電源回路３１から出力電圧Ｖ３１の電圧値の情報が絶縁回路を介して入力され、副電源回路３２２から出力電圧Ｖ３２２の電圧値の情報が入力される。副制御回路２２２は、主電源回路３１の出力電圧Ｖ３１と、副電源回路３２２の出力電圧Ｖ３２２との両方がそれぞれの下限電圧を超えたタイミングで開閉回路１０２のスイッチ１１を導通状態に制御する。これにより、副制御回路２２２は、主電源回路３１、及び、副電源回路３２２が必要な電圧を生成した後に、開閉回路１０２のスイッチ１１を導通状態に制御することができる。
【０１５３】
そして、副制御回路２２２は、開閉回路１０２のスイッチ１１を導通状態にしたタイミングから、調光レベルに応じた導通期間Ｔ１０が経過したタイミングで、開閉回路１０２のスイッチ１１を非導通状態に制御する。これにより、交流電源２から開閉回路１０２のスイッチ１１を介して負荷３Ｂに電力が供給されるので、負荷３Ｂが所定の調光レベルで点灯する。
【０１５４】
負荷制御システム１は、交流電圧Ｖａｃが負極性の半周期においても、正極性の半周期と同様の制御を行う。そして、負荷制御システム１は、交流電圧Ｖａｃの正極性の半周期における動作と、交流電圧Ｖａｃの負極性の半周期における動作とを交互に繰り返すことで、負荷３Ａ，３Ｂを調光点灯する。
【０１５５】
以上のように、変形例３の負荷制御システム１は、複数の第２端子Ｔ２のうち一の第２端子Ｔ２と電源回路３０との間に接続されたスイッチＳＷ１（開閉器）を、更に備えている。制御回路２０（本変形例では副制御回路２２）は、複数の第２端子Ｔ２のうちスイッチＳＷ１が接続された第２端子Ｔ２が無負荷状態である場合にスイッチＳＷ１をオフにする。スイッチＳＷ１が接続された第２端子Ｔ２が無負荷状態である場合、制御回路２０がスイッチＳＷ１をオフにするので、無負荷状態の第２端子Ｔ２から電源回路３０にノイズが流入する可能性を低減できる。なお、スイッチＳＷ１は電磁リレーでもよいし、半導体スイッチでもよい。
【０１５６】
（４．４）変形例４
変形例４の負荷制御システム１は、図１１に示すように、開閉回路１０１の両端間から電力を得る副電源回路３２１と、副電源回路３２１から電力供給を受けて開閉回路１０１のスイッチ１１を制御する副制御回路２２１を備える点で変形例３と相違する。以下、上記の実施形態と同様の構成については、共通の符号を付して適宜説明を省略する。なお、図１１ではインタフェース部４０及び制御親機５の図示を省略している。
【０１５７】
変形例４では、開閉回路１０１，１０２ごとに副制御回路２２１，２２２を設けている。副制御回路２２２の機能及び動作は変形例３と同様であるので、その説明は省略する。
【０１５８】
副制御回路２２１は、主制御回路２１から入力される制御信号と、ゼロクロス検出部２３１，２３２の検出信号に基づいて、開閉回路１０１のスイッチ１１を制御することで、負荷３を調光点灯する。
【０１５９】
なお、負荷制御システム１の動作は変形例３と同様であるので、その説明は省略する。
【０１６０】
（４．５）変形例５
変形例５の負荷制御システム１は、図１２に示すように、副制御回路２２と、開閉回路１０１，１０２との間が電気的に絶縁されていない点で上記の実施形態と相違する。以下、上記の実施形態と同様の構成については、共通の符号を付して適宜説明を省略する。  変形例５では、電源回路３０のグランドと、開閉回路１０１のグランドと、開閉回路１０２のグランドとを共通にしているので、副制御回路２２と、開閉回路１０１，１０２との間を電気的に絶縁する必要がない。したがって、変形例５では、複数の開閉回路１０と、制御回路２０及び電源回路３０との間が電気的に絶縁されておらず、副制御回路２２と、開閉回路１０１，１０２との間を電気的に絶縁する絶縁回路をなくすことができる。
【０１６１】
なお、負荷制御システム１の動作は上記の実施形態と同様であるので、その説明は省略する。
【０１６２】
（４．６）変形例６
変形例６の負荷制御システム１は、図１３に示すように、電源回路３０が、開閉回路１０１，１０２ごとに設けられた電源回路３０Ａと絶縁電源回路３０Ｃとを含む点で上記の実施形態と相違する。以下、上記の実施形態と同様の構成については、共通の符号を付して適宜説明を省略する。なお、図１３ではインタフェース部４０及び制御親機５の図示を省略している。
【０１６３】
第１端子Ｔ１と第２端子Ｔ２１との間には整流回路ＤＢ１が接続されている。整流回路ＤＢ１は、第１端子Ｔ１と第２端子Ｔ２１とを介して入力される交流電圧Ｖａｃを整流する。整流回路ＤＢ１の出力端子間には電源回路３０Ａが接続されている。電源回路３０Ａは、整流回路ＤＢ１から入力される脈流電圧を所定の電圧値の直流電圧に変換して、主制御回路２１及び副制御回路２２等に供給する。すなわち、電源回路３０Ａは、交流電源２から第１端子Ｔ１と第２端子Ｔ２１とを介して電力を得て、主制御回路２１及び副制御回路２２等に電力を供給する。
【０１６４】
また、第１端子Ｔ１と第２端子Ｔ２２との間には整流回路ＤＢ２が接続されている。整流回路ＤＢ２は、第１端子Ｔ１と第２端子Ｔ２２とを介して入力される交流電圧Ｖａｃを整流する。整流回路ＤＢ２の出力端子間には絶縁電源回路３０Ｃが接続されている。絶縁電源回路３０Ｃは、整流回路ＤＢ２から入力される脈流電圧を所定の電圧値の直流電圧に変換して、主制御回路２１及び副制御回路２２等に供給する。すなわち、絶縁電源回路３０Ｃは、交流電源２から第１端子Ｔ１と第２端子Ｔ２２とを介して電力を得て、主制御回路２１及び副制御回路２２等に電力を供給する。なお、絶縁電源回路３０Ｃは、トランスなどの電磁的な結合素子を用いて入力側と出力側とを電気的に絶縁しており、絶縁電源回路３０Ｃの入力側のグランドと、絶縁電源回路３０Ｃの出力側のグランド（つまり、電源回路３０Ａのグランド）とが異なっている。
【０１６５】
本変形例では、電源回路３０Ａのグランドと開閉回路１０１のグランドとが共通であるので、電源回路３０Ａから電力供給を受ける副制御回路２２には、ゼロクロス検出部２３１，２３２の検出信号が直接入力されている。一方、電源回路３０Ａのグランドと開閉回路１０２のグランド（絶縁電源回路３０Ｃの入力側のグランド）とが異なっているので、副制御回路２２にはゼロクロス検出部２４１，２４２の検出信号が絶縁回路２５５を介して入力されている。
【０１６６】
副制御回路２２は、主制御回路２１から入力される制御信号と、ゼロクロス検出部２３１，２３２の検出信号とに基づいて開閉回路１０１のスイッチ１１を制御して、負荷３Ａを調光点灯する。また、副制御回路２２は、主制御回路２１から入力される制御信号と、ゼロクロス検出部２４１，２４２の検出信号とに基づいて開閉回路１０２のスイッチ１１を制御して、負荷３Ｂを調光点灯する。副制御回路２２が、負荷３Ａ，３Ｂを調光点灯する場合の動作は上記の実施形態と同様であるのでその説明は省略する。
【０１６７】
本変形例では、電源回路３０として、交流電源２から第１端子Ｔ１と第２端子Ｔ２１とを介して電力を得る電源回路３０Ａと、交流電源２から第１端子Ｔ１と第２端子Ｔ２２とを介して電力を得る絶縁電源回路３０Ｃとを備えている。
【０１６８】
したがって、第１端子Ｔ１と第２端子Ｔ２１との間に負荷３Ａが接続されている場合は、電源回路３０Ａから主制御回路２１及び副制御回路２２等に電力を供給することができる。
【０１６９】
一方、第１端子Ｔ１と第２端子Ｔ２１との間に負荷３Ａが接続されていない無負荷状態では、電源回路３０Ａは交流電源から電力を得ることができないが、絶縁電源回路３０Ｃから、主制御回路２１及び副制御回路２２等に電力が供給される。このように、第１端子Ｔ１と第２端子Ｔ２１との間が無負荷状態となった場合は、絶縁電源回路３０Ｃが主制御回路２１及び副制御回路２２等に電力を供給するので、主制御回路２１及び副制御回路２２は動作を継続し、負荷３Ｂを調光点灯させることができる。
【０１７０】
このように、変形例６の負荷制御システム１は、電源回路３０が、複数の開閉回路１０に一対一に対応する複数の電源回路（電源回路３０Ａ及び絶縁電源回路３０Ｃ）を備えている。電源回路３０は、複数の第２端子Ｔ２のうち一部の第２端子Ｔ２が無負荷状態である場合、複数の第２端子Ｔ２のうち一部の第２端子Ｔ２以外の第２端子Ｔ２と第１端子Ｔ１とを介して交流電源２から電力を得て、制御回路２０を含む回路に供給する電力を生成する。したがって、複数の負荷３の一部が無負荷状態になった場合でも、電源回路３０は、正常な負荷３が接続されている第１端子Ｔ１と第２端子Ｔ２とを介して電力を得て、制御回路２０を含む回路に供給する電力を生成することができる。
【０１７１】
（４．７）変形例７
変形例７の負荷制御システム１は、図１４に示すように、開閉回路１０１，１０２ごとに電源回路３０Ａ，３０Ｂを備え、開閉回路１０１，１０２ごとに副制御回路２２１，２２２を備え、更にバックアップ用の絶縁電源回路３０Ｃを備える点で変形例６と相違する。以下、上記の実施形態と同様の構成については、共通の符号を付して適宜説明を省略する。なお、図１４ではインタフェース部４０及び制御親機５の図示を省略している。
【０１７２】
第１端子Ｔ１と第２端子Ｔ２１との間には整流回路ＤＢ１が接続されている。整流回路ＤＢ１は、第１端子Ｔ１と第２端子Ｔ２１とを介して入力される交流電圧Ｖａｃを整流する。整流回路ＤＢ１の出力端子間には電源回路３０Ａが接続されている。電源回路３０Ａは、整流回路ＤＢ１から入力される脈流電圧を所定の電圧値の直流電圧に変換して、主制御回路２１及び副制御回路２２１等に供給する。すなわち、電源回路３０Ａは、交流電源２から第１端子Ｔ１と第２端子Ｔ２１とを介して電力を得て、主制御回路２１及び副制御回路２２１等に電力を供給する。
【０１７３】
また、第１端子Ｔ１と第２端子Ｔ２２との間には整流回路ＤＢ２が接続されている。整流回路ＤＢ２は、第１端子Ｔ１と第２端子Ｔ２２とを介して入力される交流電圧Ｖａｃを整流する。整流回路ＤＢ２の出力端子間には電源回路３０Ｂが接続されている。電源回路３０Ｂは、整流回路ＤＢ２から入力される脈流電圧を所定の電圧値の直流電圧に変換して、副制御回路２２２及び絶縁電源回路３０Ｃ等に供給する。すなわち、電源回路３０Ｂは、交流電源２から第１端子Ｔ１と第２端子Ｔ２２とを介して電力を得て、副制御回路２２２及び絶縁電源回路３０Ｃ等に電力を供給する。絶縁電源回路３０Ｃは、電源回路３０Ｂから電力供給を受けて、主制御回路２１に電力を供給する。なお、絶縁電源回路３０Ｃは入力側と出力側とが電気的に絶縁されており、絶縁電源回路３０Ｃの入力側のグランドと、絶縁電源回路３０Ｃの出力側のグランド（つまり、主制御回路２１のグランド）とが異なっている。
【０１７４】
本変形例では、電源回路３０Ａのグランドと開閉回路１０１のグランドとが共通であるので、電源回路３０Ａから電力供給を受ける副制御回路２２１には、ゼロクロス検出部２３１，２３２の検出信号が直接入力されている。また、電源回路３０Ｂのグランドと開閉回路１０２のグランドが共通であるので、電源回路３０Ｂから電力供給を受ける副制御回路２２２にはゼロクロス検出部２４１，２４２の検出信号が直接入力されている。
【０１７５】
副制御回路２２１は、主制御回路２１から入力される制御信号と、ゼロクロス検出部２３１，２３２の検出信号とに基づいて開閉回路１０１のスイッチ１１を制御して、負荷３Ａを調光点灯する。また、副制御回路２２２は、主制御回路２１から絶縁回路２５６を介して入力される制御信号と、ゼロクロス検出部２４１，２４２の検出信号とに基づいて開閉回路１０２のスイッチ１１を制御して、負荷３Ｂを調光点灯する。副制御回路２２１，２２２が負荷３Ａ，３Ｂをそれぞれ調光点灯する場合の動作は上記の実施形態と同様であるのでその説明は省略する。
【０１７６】
変形例７の負荷制御システム１は、電源回路３０として、交流電源２から第１端子Ｔ１と第２端子Ｔ２１とを介して電力を得る電源回路３０Ａと、交流電源２から第１端子Ｔ１と第２端子Ｔ２２とを介して電力を得る電源回路３０Ｂ及び絶縁電源回路３０Ｃを備える。
【０１７７】
したがって、第１端子Ｔ１と第２端子Ｔ２１との間に負荷３Ａが接続されている場合は、電源回路３０Ａから主制御回路２１と副制御回路２２１とに電力を供給することができる。
【０１７８】
一方、第１端子Ｔ１と第２端子Ｔ２１との間に負荷３Ａが接続されていない無負荷状態では、電源回路３０Ａは交流電源から電力を得ることができないが、絶縁電源回路３０Ｃから、主制御回路２１に電力が供給される。このように、第１端子Ｔ１と第２端子Ｔ２１との間が無負荷状態となった場合は、絶縁電源回路３０Ｃが主制御回路２１に電力を供給するので、主制御回路２１及び副制御回路２２２は動作を継続し、負荷３Ｂを調光点灯させることができる。
【０１７９】
（４．８）変形例８
変形例８の負荷制御システム１は、図１５に示すように、開閉回路１０１，１０２ごとに、電源回路３０Ａ，３０Ｂと、制御回路２０Ａ，２０Ｂと、を備える点で上記の実施形態と相違する。以下、上記の実施形態と同様の構成については、共通の符号を付して適宜説明を省略する。なお、図１５ではインタフェース部４０及び制御親機５の図示を省略している。
【０１８０】
本変形例では、複数の第２端子Ｔ２の各々と第１端子Ｔ１との間に、開閉回路１０と、電源回路３０と、制御回路２０とが設けられている。つまり、負荷３ごとに開閉回路１０と、電源回路３０と、制御回路２０とが独立して設けられている。
【０１８１】
したがって、複数の負荷３の一部が無負荷状態となった場合でも、正常な負荷３が接続されている第１端子Ｔ１と第２端子Ｔ２とに電気的に接続されている電源回路３０は、交流電源２から電力を得て制御回路２０に電力を供給できる。したがって、制御回路２０は、対応する開閉回路１０を制御して負荷３への電力供給を制御することができる。
【０１８２】
（まとめ）
以上説明したように、第１の態様の負荷制御システム（１）は、第１端子（Ｔ１）と、複数の第２端子と、複数の開閉回路（１０）と、制御回路（２０）と、電源回路（３０）と、を備える。第１端子（Ｔ１）は電源（２）に電気的に接続される。複数の第２端子（Ｔ２）は複数の負荷（３）に一対一に対応する。複数の第２端子（Ｔ２）の各々は、複数の負荷（３）のうち対応する一の負荷（３）を介して電源（２）に電気的に接続される。複数の開閉回路（１０）は複数の第２端子（Ｔ２）に一対一に対応する。複数の開閉回路（１０）の各々は、複数の第２端子（Ｔ２）のうち対応する一の第２端子（Ｔ２）と第１端子（Ｔ１）との間に電気的に接続されるスイッチ（１１）を有する。制御回路（２０）は、複数の開閉回路（１０）の各々が有するスイッチ（１１）を制御することで、複数の開閉回路（１０）の各々に対応する負荷（３）への電力供給を制御する。電源回路（３０）は、複数の第２端子（Ｔ２）と第１端子（Ｔ１）との間に電気的に接続されており、複数の第２端子（Ｔ２）のうち少なくとも１つの第２端子（Ｔ２）と第１端子（Ｔ１）とを介して電源（２）から電力を得て、少なくとも制御回路（２０）に供給する電力を生成する。
【０１８３】
この態様によれば、複数の第２端子（Ｔ２）の各々と第１端子（Ｔ１）との間に複数の負荷（３）が接続されるので、電源（２）と複数の負荷（３）とをそれぞれ２本の電線で接続する場合に比べて、複数の負荷（３）を接続するための電線の数を削減できる。また、制御回路（２０）は、各開閉回路（１０）のスイッチ（１１）を制御することで、複数の開閉回路（１０）の各々に対応する負荷（３）への電力供給を制御しているので、複数の負荷（３）への電力供給を個別に制御することができる。
【０１８４】
第２の態様の負荷制御システム（１）では、第１の態様において、制御回路（２０）と電源回路（３０）との少なくとも一方が１つの共用回路（２１，３１）を含み、共用回路（２１，３１）は、複数の開閉回路（１０）に共用される。
【０１８５】
この態様によれば、複数の開閉回路（１０）で共用回路（２１，３１）を共用することで、回路規模を削減できる。
【０１８６】
第３の態様の負荷制御システム（１）では、第２の態様において、制御回路（２０）は、主制御回路（２１）と、複数の副制御回路（２２，２２１，２２２）とを含む。複数の副制御回路（２２，２２１，２２２）は複数の開閉回路（１０）に一対一に対応する。主制御回路（２１）は、複数の副制御回路（２２，２２１，２２２）を制御する。複数の副制御回路（２２，２２１，２２２）は、複数の開閉回路（１０）のうち対応する一の開閉回路（１０）のスイッチ（１１）を制御する。電源回路（３０）は、主電源回路（３１）と、複数の副電源回路（３２１，３２２）とを含む。複数の副電源回路（３２１，３２２）は複数の副制御回路（２２，２２１，２２２）に一対一に対応する。主電源回路（３１）は、主制御回路（２１）に電力を供給する。複数の副電源回路（３２１，３２２）の各々は、複数の副制御回路（２２，２２１，２２２）のうち対応する一の副制御回路（２２，２２１，２２２）に電力を供給する。
【０１８７】
この態様によれば、複数の開閉回路（１０）で主制御回路（２１）及び主電源回路（３１）を共用することで、回路規模を削減できる。
【０１８８】
第４の態様の負荷制御システム（１）では、第２の態様において、制御回路（２０）は、主制御回路（２１）と、複数の副制御回路（２２，２２１，２２２）とを含む。複数の副制御回路（２２，２２１，２２２）は複数の開閉回路（１０）に一対一に対応する。主制御回路（２１）は、複数の副制御回路（２２，２２１，２２２）を制御する。複数の副制御回路（２２，２２１，２２２）の各々は、複数の開閉回路（１０）のうち対応する一の開閉回路（１０）が有するスイッチ（１１）を制御する。
【０１８９】
この態様によれば、複数の開閉回路（１０）で主制御回路（２１）を共用することで、回路規模を削減できる。
【０１９０】
第５の態様の負荷制御システム（１）は、第１〜４のいずれかの態様において、制御回路（２０）と電源回路（３０）との少なくとも一方と、複数の開閉回路（１０）の少なくとも一部との間を電気的に絶縁する絶縁回路（２５１，２５２）を更に備える。
【０１９１】
この態様によれば、制御回路（２０）と電源回路（３０）との少なくとも一方と、複数の開閉回路（１０）の少なくとも一部との間を絶縁回路（２５１，２５２）で電気的に絶縁することで、回路を正常に動作させることができる。
【０１９２】
第６の態様の負荷制御システム（１）では、第１〜４のいずれかの態様において、複数の開閉回路（１０）と、制御回路（２０）及び電源回路（３０）との間が電気的に絶縁されていない。
【０１９３】
この態様によれば、絶縁回路を不要にできる。
【０１９４】
第７の態様の負荷制御システム（１）は、第１〜６のいずれかの態様において、複数の第２端子（Ｔ２）のうち一の第２端子（Ｔ２）と電源回路（３０）との間に電気的に接続された開閉器（ＳＷ１）を、更に備える。制御回路（２０）は、複数の第２端子（Ｔ２）のうち開閉器（ＳＷ１）が接続された第２端子（Ｔ２）が無負荷状態である場合に開閉器（ＳＷ１）をオフにする。
【０１９５】
この態様によれば、無負荷状態で開閉器（ＳＷ１）をオフにすることで、電源回路（３０）から無負荷状態である第２端子（Ｔ２）を電気的に切り離すことができる。
【０１９６】
第８の態様の負荷制御システム（１）では、第１〜７のいずれかの態様において、電源回路（３０）は、複数の第２端子（Ｔ２）のうちの任意の第２端子（Ｔ２）と第１端子（Ｔ１）とを介して電源（２）から電力を得る。
【０１９７】
この態様によれば、複数の第２端子（Ｔ２）のうちの一部が無負荷状態となった場合には、電源回路（３０）は、複数の第２端子（Ｔ２）の残りと第１端子（Ｔ１）とを介して電源（２）から電力を得ることができる。
【０１９８】
第９の態様の負荷制御システム（１）では、第１〜８のいずれかの態様において、電源回路（３０）は、複数の第２端子（Ｔ２）のうち一部の第２端子（Ｔ２）が無負荷状態である場合、所定の端子と第１端子（Ｔ１）とを介して電源（２）から電力を得る。所定の端子とは、複数の第２端子（Ｔ２）のうち一部の第２端子（Ｔ２）以外の第２端子（Ｔ２）である。
【０１９９】
この態様によれば、複数の第２端子（Ｔ２）のうちの一部が無負荷状態となった場合には、電源回路（３０）は、複数の第２端子（Ｔ２）の残りと第１端子（Ｔ１）とを介して電源（２）から電力を得ることができる。
【０２００】
第１０の態様の負荷制御システム（１）は、第１〜９のいずれかの態様において、第１回路ブロック（Ｂ１）と、複数の第２回路ブロック（Ｂ２１，Ｂ２２）とを更に備える。複数の第２回路ブロック（Ｂ２１，Ｂ２２）の各々は、第１回路ブロック（Ｂ１）が有する第１接続部（８１）に電気的に接続される第２接続部（８２，８３）を有し、第２接続部（８２，８３）を介して第１回路ブロック（Ｂ１）に電気的に接続される。第１回路ブロック（Ｂ１）は、制御回路（２０）の少なくとも一部と電源回路（３０）の少なくとも一部とを含む回路を収容する第１の筐体（９１）を有する。複数の第２回路ブロック（Ｂ２１，Ｂ２２）は複数の開閉回路（１０）に一対一に対応する。複数の第２回路ブロック（Ｂ２１，Ｂ２２）の各々は、複数の開閉回路（１０）のうち対応する一の開閉回路（１０）を収容する第２の筐体（９２１，９２２）を有する。
【０２０１】
この態様によれば、第１回路ブロック（Ｂ１）と複数の第２回路ブロック（Ｂ２１，Ｂ２２）とを接続することで、負荷制御システム（１）を構成できる。
【０２０２】
第１１の態様の負荷制御システム（１）は、第１〜１０のいずれかの態様において、複数の開閉回路（１０）に一対一に対応する複数の操作部（４０）を、更に備える。制御回路（２０）は、複数の操作部（４０）のうち一の操作部（４０）からの操作入力に基づいて、複数の開閉回路（１０）のうち一の操作部（４０）に対応する開閉回路（１０）が有するスイッチ（１１）のオン／オフを制御する。
【０２０３】
この態様によれば、ユーザが操作部（４０）を操作することで、所望の負荷（３）への電力供給を制御することができる。
【０２０４】
第２〜第１１の態様に係る構成については、負荷制御システム（１）に必須の構成ではなく、適宜省略可能である。
【符号の説明】
【０２０５】
１  負荷制御システム
２  交流電源（電源）
３（３Ａ，３Ｂ）  負荷
１０（１０１，１０２）  開閉回路
１１  スイッチ
２０  制御回路
２１  主制御回路
２２，２２１，２２２  副制御回路
３０  電源回路
３１  主電源回路
３２，３２１，３２２  副電源回路
４０  インタフェース部（操作部）
８１  第１接続部
８２，８３  第２接続部
９１  第１の筐体
２５１，２５２  絶縁回路
９２１，９２２  第２の筐体
Ｂ１  第１回路ブロック
Ｂ２１，Ｂ２２  第２回路ブロック
ＳＷ１  スイッチ（開閉器）
Ｔ１  第１端子
Ｔ２，Ｔ２１，Ｔ２２  第２端子
【図１】
2020017498.tif 000003
【図２】
2020017498.tif 000004
【図３】
2020017498.tif 000005
【図４】
2020017498.tif 000006
【図５】
2020017498.tif 000007
【図６】
2020017498.tif 000008
【図７】
2020017498.tif 000009
【図８】
2020017498.tif 000010
【図９】
2020017498.tif 000011
【図１０】
2020017498.tif 000012
【図１１】
2020017498.tif 000013
【図１２】
2020017498.tif 000014
【図１３】
2020017498.tif 000015
【図１４】
2020017498.tif 000016
【図１５】
2020017498.tif 000017